(57)【要約】【課題】コンタクトレンズの載置部にコンタクトレンズを安定して載置できるようにして、載置部を傾けてもコンタクトレンズが落ちることがないようにすると共に、眼球の角膜に対して正確にコンタクトレンズを位置合わせすることができるコンタクトレンズ装着具を提供する。【解決手段】コンタクトレンズ装着具は、コンタクトレンズを載置する載置部と、前記載置部のコンタクトレンズ載置面以外の部分に設けられた接続部と、前記接続部に接続された手の指で把持する把持部とからなるコンタクトレンズ装着具であって、前記載置部はコンタクトレンズ載置面側に凹となる曲面状であり、前記載置部のコンタクトレンズ載置面側には、環状に配置した複数の突起からなる突起群が同心状に複数層設けられており、前記各突起群はコンタクトレンズ載置面側に凸となるように設けられており、前記突起がコンタクトレンズを支持することを特徴とする。【選択図】図１
2018057529.tif 000002
【特許請求の範囲】
【請求項１】
コンタクトレンズを載置する載置部と、前記載置部のコンタクトレンズ載置面以外の部分に設けられた接続部と、前記接続部に接続された手の指で把持する把持部とからなるコンタクトレンズ装着具であって、
前記載置部はコンタクトレンズ載置面側に凹となる曲面状であり、
前記載置部のコンタクトレンズ載置面側には、環状に配置した複数の突起からなる突起群が同心状に複数層設けられており、
前記各突起群はコンタクトレンズ載置面側に凸となるように設けられており、
前記突起がコンタクトレンズを支持することを特徴とするコンタクトレンズ装着具。
【請求項２】
前記突起群は同心状に２層設けられていることを特徴とする請求項１記載のコンタクトレンズ装着具。
【請求項３】
前記突起群の中の最外層の突起群は、前記載置部の外周に沿って設けられていることを特徴とする請求項１または２記載のコンタクトレンズ装着具。
【請求項４】
前記載置部の直径は、コンタクトレンズの直径よりも小さいことを特徴とする請求項１〜３のいずれかに記載のコンタクトレンズ装着具。
【請求項５】
前記各層の突起群の各突起は等間隔に配置されていることを特徴とする請求項１〜４のいずれかに記載のコンタクトレンズ装着具。
【請求項６】
前記各層の突起群の中、隣り合う層の突起群について、内層の突起の数は外層の突起の数以下であることを特徴とする請求項１〜５のいずれかに記載の側内層側の突起のコンタクトレンズ装着具。
【請求項７】
前記各層の突起群は同心円状に設けられていることを特徴とする請求項１〜６のいずれかに記載のコンタクトレンズ装着具。
【請求項８】
前記各層の突起群を結ぶ各円周の中の隣り合う円周の間隔はいずれも等しいことを特徴とする請求項７記載のコンタクトレンズ装着具。
【請求項９】
前記把持部は前記載置部を包み込む有底筒状の本体部材からなり、
前記接続部は前記本体部材の底部に接続されるシャフト部材であり、
前記載置部はコンタクトレンズ載置面側が前記本体部材の開口側を向くように、前記シャフト部材の先端部に設けられていることを特徴とする請求項１〜８のいずれかに記載のコンタクトレンズ装着具。
【請求項１０】
前記本体部材の開口側の形状は、眼球の周りの顔の凹凸形状に沿う形状であることを特徴とする請求項９記載のコンタクトレンズ装着具。
【請求項１１】
前記シャフト部材は前記本体部材の底部と交差する方向に摺動自在に接続されており、
前記載置部は前記シャフト部材の摺動に応じて、前記本体部材の底部からの距離が可変となるように設けられていることを特徴とする請求項９または１０記載のコンタクトレンズ装着具。
【請求項１２】
前記シャフト部材は前記本体部材の底部を貫通して接続されており、かつ、バネ部材により前記載置部が設けられている先端部とは反対の方向に付勢されていることを特徴とする請求項９〜１１のいずれかに記載のコンタクトレンズ装着具。
【請求項１３】
前記本体部材は透明または半透明の材料からなることを特徴とする請求項９〜１２のいずれかに記載のコンタクトレンズ装着具。
【請求項１４】
前記コンタクトレンズ装着具は、収納ケースに収納されることを特徴とする請求項９〜１３のいずれかに記載のコンタクトレンズ装着具。
【請求項１５】
前記本体部材の開口側には、前記収納ケースから載置部まで延出した押さえ部材が設けられていることを特徴とする請求項１４記載のコンタクトレンズ装着具。
【請求項１６】
前記押さえ部の形状は、コンタクトレンズを掬い上げることができる形状であることを特徴とする請求項１５記載のコンタクトレンズ装着具。
【請求項１７】
前記本体部材をそれぞれ挿入可能な一対の挿入孔を有するフレーム部材をさらに備え、
前記各挿入孔にはそれぞれ前記本体部材を挿入することを特徴とする請求項９〜１３のいずれかに記載のコンタクトレンズ装着具。
【請求項１８】
前記フレームの両端には一対のテンプルを設け、
前記フレームの前記一対の挿入孔の間にはブリッジ及びノースパッドを設けることを特徴とする請求項１７記載のコンタクトレンズ装着具。
【請求項１９】
前記把持部は棒状のグリップ部材であり、
前記接続部の一端には前記把持部が接続され、かつ、他端には前記載置部の前記コンタクトレンズ載置面以外の部位が接続されていることを特徴とする請求項１〜８のいずれかに記載のコンタクトレンズ装着具。
【請求項２０】
前記載置部は透明または半透明の材料からなることを特徴とする請求項１〜１９のいずれかに記載のコンタクトレンズ装着具。
【請求項２１】
前記載置部は着脱自在に装着されていることを特徴とする請求項１〜２０のいずれかに記載のコンタクトレンズ装着具。
【請求項２２】
コンタクトレンズを載置する搭載部と、前記搭載部のコンタクトレンズ搭載面以外の部分に設けられた接続部と、前記接続部に接続された手の指で把持する把持部とからなるコンタクトレンズ用器具であって、
前記搭載部にはコンタクトレンズを載置可能な曲面状のコンタクトレンズ搭載面が設けられ、
前記接続部は一端に前記搭載部が係合されたシャフト部材からなり、かつ、
前記シャフト部材は前記把持部に対して前記シャフト部材の延在方向に移動可能に係合されることにより、
コンタクトレンズを装着すること、取外すこと、または、着脱することが可能であることを特徴とするコンタクトレンズ用器具。
【発明の詳細な説明】
【技術分野】
【０００１】
本発明は、コンタクトレンズを眼球に装着するために用いる装着具、コンタクトレンズを取り外すために用いる取外具、または、コンタクトレンズを着脱するための着脱具に関する。
【背景技術】
【０００２】
コンタクトレンズを眼球に装着するためにはコンタクトレンズを手の指先に直接載せて、コンタクトレンズが眼球に触れるまで指先を眼球に近づけて装着する方法が一般的である。しかしながら、かかる方法では（１）手の指先にコンタクトレンズを載せる際には手の指先の凸部に対してコンタクトレンズの凸部側の面を載せることになるために、コンタクトレンズが手の指の上で不安定となりコンタクトレンズが落ちる恐れがあること、特に、顔を正面に向けた姿勢でコンタクトレンズを眼球に近づける際に、手の指の角度を水平から垂直へと傾けた際には、コンタクトを落とし易いこと、（２）コンタクトレンズを載せた手の指先を眼球に近づけていくと指によって視界が遮られ、眼球の角膜に対して正確にコンタクトレンズを位置合わせして装着することが困難であること、（３）手で直接コンタクトレンズに触れるため、事前に手を清潔に洗浄する必要がある上に、手に残った細菌がコンタクトレンズに付着するので衛生上問題があること、等の問題があった。
【０００３】
これらの問題に踏まえ、下記特許文献１では、コンタクトレンズを載せるための凹曲面で、かつ、進退自在の底部を備え、この底部をコンタクトレンズとは反対側から手の指先で押し出すことによりコンタクトレンズを載せたまま底部を容器から露出させ、そのまま手の指先を眼球に近づけることでコンタクトレンズを眼球に装着する器具が開示されている。コンタクトレンズの凸部側の面が底部の凹形状の接触面に密着するため、この器具はコンタクトレンズが落ちにくい構造となっている。
【０００４】
また、下記特許文献２では、コンタクトレンズを載せる載台に持ち手となる柄を設けたコンタクトレンズの装着具が記載されている。この装着具の載台は凹形状または環状であり、また、その載台の少なくとも一部分は透光性を有する。この装着具では載台が透光性を有するため、載台を眼球に近づけていった際にも視界が遮られることがない。
【０００５】
また、下記特許文献３では、コンタクトレンズを載置する先端部に対して軸部を介して把持部を設け、先端部のコンタクトレンズを載置する部分である載置部は、中心が凹部となっており、その周囲に接触部が設けられている装着具が記載されている。この装着具においては、載置部の直径はコンタクトレンズより小さく、接触部の形状は円環状であり、この円環状の接触部の一部に複数の切り欠き、または、複数の突起が設けられていてもよいとされている。この装着具によれば、載置部の直径がコンタクトレンズよりも小さいためコンタクトレンズの輪郭を識別しやすく、鏡を利用してコンタクトレンズの位置を観察しながら装着することができる。
【０００６】
一方、コンタクトレンズの取外しについては、下記特許文献４では、柔軟カップ体内に生理食塩水を注入した後、カップ口を使用者の目縁に被覆密着させ、手の指で繰り返し柔軟カップ体を圧したり緩めたりすることにより、コンタクトレンズを眼球から取り外する器具が記載されている。この器具によれば、直接コンタクトレンズに手を触れることなく眼球に装着されたコンタクトレンズを取り外すことができる。
【０００７】
次に、コンタクトレンズの装着と取外しの両方ができるものとしては、下記特許文献５では、可撓性柔軟材により形成された一対の挟着片を開閉可能に形成したコンタクトレンズ着脱用具であって、コンタクトレンズを装着する時には、閉じた状態の挟着片にコンタクトレンズを載せて、そのまま目に宛がい、コンタクトレンズを取り外す時には、挟着片を開角させて目に当てがい、コンタクトレンズを挟着片で挟むものが記載されている。このコンタクトレンズ着脱用具によれば、コンタクトレンズに直接手を触れることなく、コンタクトレンズの着脱が可能である。
【０００８】
また、下記特許文献６では、吸着盤に空気室の空洞と通じる穴が開けられていて、空気室の外殻は指先で形状変形させることができ、また、復元する弾力的素材からなっているコンタクトレンズ着脱器であって、空気室の外殻を指で押しつぶした状態で吸着盤にコンタクトレンズを当ててコンタクトレンズを吸着させる一方、コンタクトレンズを吸着した状態から空気室の外殻を指で押しつぶすことによりコンタクトレンズを吸着盤から取り外すものが記載されている。このコンタクトレンズ着脱器は、空気圧の変化を利用しており、指先だけで操作することができる。
【先行技術文献】
【特許文献】
【０００９】
【特許文献１】特表２０００−５０４９６８号公報
【特許文献２】実開昭６３−１３００２７号公報
【特許文献３】実開平１−１７０２１９号公報
【特許文献４】登録実用新案第３１５７２２１号公報
【特許文献５】実開昭５７−２０１７号公報
【特許文献６】実開昭６２−５４７３２号公報
【発明の概要】
【発明が解決しようとする課題】
【００１０】
しかしながら、特許文献１ではコンタクトレンズの凸部側の面が底部の凹形状の接触面に密着しているために、コンタクトレンズを眼球に装着しようとした時に、コンタクトレンズを底部から引き離しにくいという問題がある。また、底部のコンタクトレンズとは反対側に指をあてがい、その指を眼球に近づけてコンタクトレンズを挿入する際には、手で視界を遮ることになるために、眼球の角膜に対して正確にコンタクトレンズを位置合わせして装着することが困難であるという問題がある。
【００１１】
また、特許文献２ではコンタクトレンズを載台に載せた状態の時に、コンタクトレンズを安定させることが困難であり、載台を傾けるとコンタクトレンズを落としてしまうという問題がある。
【００１２】
また、特許文献３では液体の表面張力によりコンタクトレンズを載置部に付着しているが、液体の量により表面張力は異なるために、コンタクトレンズが載置部から落ちやすくなったり、逆に、眼球にコンタクトレンズを挿入する際に載置部からコンタクトレンズを引き離しにくくなったりするという問題がある。また、円環状の接触部の一部に複数の切り欠き、または、複数の突起を設けることもできるが、状況によって異なる表面張力を考慮して切り欠きや突起の設計をすることは困難であるという問題もある。
【００１３】
一方、コンタクトレンズの取外しについては、特許文献４では柔軟カップ体内に生理食塩水を相当量注入する必要があり、生理食塩水の準備に手間がかかると共に、液体を扱うため手や顔が濡れることになるため、取り扱いにくいという問題がある。また、取り外されたコンタクトレンズは柔軟カップ体内の生理食塩水の中に沈んでいるので、これを取り上げるには手間がかかるという問題もある。
【００１４】
次に、コンタクトレンズの装着と取外しの両方ができるものとしては、特許文献５及び特許文献６のものがあるが、特許文献５では、コンタクトレンズを取り外すには、挟着片を開角させて目に当てがい、挟着片の頂部にコンタクトレンズを挟まなければならないため、挟着片を当てがう時の位置決めが難しいという問題がある。挟着片の眼球からの距離が遠い場合はコンタクトレンズを挟着片で挟むことができないし、挟着片の眼球からの距離が近すぎると挟着片で眼球を強く押し付けてしまう恐れがある。
【００１５】
また、特許文献６では、空気圧の変化を利用したコンタクトレンズ着脱器を指先だけで操作することができるものの、コンタクトレンズ着脱器を持った手により視界を遮るために、コンタクトレンズ着脱器の位置決めが難しいという問題がある。また、コンタクトレンズ装着器を目に近づけていくときに視界が遮られる状態であると、使用者は条件反射で瞼を閉じてしまい易いという問題もある。
【００１６】
そこで、本発明の目的は、コンタクトレンズの載置部にコンタクトレンズを安定して載置できるようにして、載置部を傾けてもコンタクトレンズが落ちることがないようにすると共に、コンタクトレンズを眼球に装着した際にはコンタクトレンズを載置部から引き離しやすくし、かつ、眼球の角膜に対して正確にコンタクトレンズを位置合わせすることができるコンタクトレンズ挿入具を提供することである。
【００１７】
また本発明の別の目的は、簡易な構造によって片手で簡単にコンタクトレンズを眼球の角膜に対して正確に位置合わせすることができるコンタクトレンズ挿入具を提供することにある。
【００１８】
さらに本発明の別の目的は、コンタクトレンズ装着時に当該コンタクトレンズ挿入具を眼球に近づけていくとき、あるいは、載置部の位置調整のときに、条件反射で瞼を閉じてしまうことを防ぐことができるコンタクトレンズ挿入具を提供することにある。
【００１９】
さらに本発明の別の目的は、当該コンタクトレンズ挿入具を携帯する際にも細菌がコンタクトレンズに付着することを防止し、しかも、外出先で手が洗えない状況においても、手に付いた細菌がコンタクトレンズに付着するという衛生上の問題がないコンタクトレンズ挿入具を提供することにある。
【００２０】
さらに本発明の別の目的は、両目に対して一度にコンタクトレンズを装着することができるコンタクトレンズ挿入具を提供することにある。
【００２１】
さらに本発明の別の目的は、眼球に装着したコンタクトレンズに対して正確に位置合わせすることができるコンタクトレンズ取外具を提供することである。
【００２２】
さらに本発明の別の目的は、簡易な構造によって片手で簡単にコンタクトレンズを取り外すことができるコンタクトレンズ取外具を提供することにある。
【００２３】
さらに、本発明の別の目的は、コンタクトレンズの装着と、コンタクトレンズの取外しの両方ができるコンタクトレンズ着脱具を提供することにある。
【課題を解決するための手段】
【００２４】
上記課題を解決するために、本発明の第１の態様のコンタクトレンズ装着具は、コンタクトレンズを載置する載置部と、前記載置部のコンタクトレンズ載置面以外の部分に設けられた接続部と、前記接続部に接続された手の指で把持する把持部とからなるコンタクトレンズ装着具であって、
前記載置部はコンタクトレンズ載置面側に凹となる曲面状であり、
前記載置部のコンタクトレンズ載置面側には、環状に配置した複数の突起からなる突起群が同心状に複数層設けられており、
前記各突起群はコンタクトレンズ載置面側に凸となるように設けられており、
前記突起がコンタクトレンズを支持することを特徴とする。  
【００２５】
また、第２の態様のコンタクトレンズ装着具は、第１の態様のコンタクトレンズ装着具において、前記突起群は同心状に２層設けられていることを特徴とする。
【００２６】
また、第３の態様のコンタクトレンズ装着具は、第１または２の態様のコンタクトレンズ装着具において、前記突起群の中の最外層の突起群は、前記載置部の外周に沿って設けられていることを特徴とする。  
【００２７】
また、第４の態様のコンタクトレンズ装着具は、第１〜３のいずれかの態様のコンタクトレンズ装着具において、前記載置部の直径は、コンタクトレンズの直径よりも小さいことを特徴とする。
【００２８】
また、第５の態様のコンタクトレンズ装着具は、第１〜４のいずれかの態様のコンタクトレンズ装着具において、前記各層の突起群の各突起は等間隔に配置されていることを特徴とする。  
【００２９】
また、第６の態様のコンタクトレンズ装着具は、第１〜５のいずれかの態様のコンタクトレンズ装着具において、前記各層の突起群の中、隣り合う層の突起群について、内層の突起の数は外層の突起の数以下であることを特徴とする。
【００３０】
また、第７の態様のコンタクトレンズ装着具は、第１〜６のいずれかの態様のコンタクトレンズ装着具において、前記各層の突起群は同心円状に設けられていることを特徴とする。
【００３１】
また、第８の態様のコンタクトレンズ装着具は、第７の態様のコンタクトレンズ装着具において、前記各層の突起群を結ぶ各円周の中の隣り合う円周の間隔はいずれも等しいことを特徴とする。
【００３２】
また、第９の態様のコンタクトレンズ装着具は、第１〜８のいずれかの態様のコンタクトレンズ装着具において、前記把持部は前記載置部を包み込む有底筒状の本体部材からなり、
前記接続部は前記本体部材の底部に接続されるシャフト部材であり、
前記載置部はコンタクトレンズ載置面側が前記本体部材の開口側を向くように、前記シャフト部材の先端部に設けられていることを特徴とする。  
【００３３】
また、第１０の態様のコンタクトレンズ装着具は、第９の態様のコンタクトレンズ装着具において、前記本体部材の開口側の形状は、眼球の周りの顔の凹凸形状に沿う形状であることを特徴とする。
【００３４】
また、第１１の態様のコンタクトレンズ装着具は、第９または１０の態様のコンタクトレンズ装着具において、前記シャフト部材は前記本体部材の底部と交差する方向に摺動自在に接続されており、
前記載置部は前記シャフトの摺動に応じて、前記本体部材の底部からの距離が可変となるように設けられていることを特徴とする。  
【００３５】
また、第１２の態様のコンタクトレンズ装着具は、第９〜１１のいずれかの態様のコンタクトレンズ装着具において、前記シャフト部材は前記本体部材の底部を貫通して接続されており、かつ、バネ部材により前記載置部が設けられている先端部とは反対の方向に付勢されていることを特徴とする。
【００３６】
また、第１３の態様のコンタクトレンズ装着具は、第９〜１２のいずれかの態様のコンタクトレンズ装着具において、前記本体部材は透明または半透明の材料からなることを特徴とする。  
【００３７】
また、第１４の態様のコンタクトレンズ装着具は、第９〜１３のいずれかの態様のコンタクトレンズ装着具において、前記コンタクトレンズ装着具は、収納ケースに収納されることを特徴とする。  
【００３８】
また、第１５の態様のコンタクトレンズ装着具は、第１４の態様のコンタクトレンズ装着具において、前記本体部材の開口側には、前記収納ケースのから載置部まで延出した押さえ部材が設けられていることを特徴とする。  
【００３９】
また、第１６の態様のコンタクトレンズ装着具は、第１５の態様のコンタクトレンズ装着具において、前記押さえ部の形状は、コンタクトレンズを掬い上げることができる形状であることを特徴とする。  
【００４０】
また、第１７の態様のコンタクトレンズ装着具は、第９〜１３のいずれかの態様のコンタクトレンズ装着具において、前記本体部材をそれぞれ挿入可能な一対の挿入孔を有するフレーム部材をさらに備え、
前記各挿入孔にはそれぞれ前記本体部材を挿入することを特徴とする。  
【００４１】
また、第１８の態様のコンタクトレンズ装着具は、第１７の態様のコンタクトレンズ装着具において、前記フレームの両端には一対のテンプルを設け、
前記フレームの前記一対の挿入孔の間にはブリッジ及びノースパッドを設けることを特徴とする。  
【００４２】
また、第１９の態様のコンタクトレンズ装着具は、第１〜８のいずれかの態様のコンタクトレンズ装着具において、前記把持部は棒状のグリップ部材であり、
前記接続部の一端には前記把持部が接続され、かつ、他端には前記載置部の前記コンタクトレンズ載置面以外の部位が接続されていることを特徴とする。
【００４３】
また、第２０の態様のコンタクトレンズ装着具は、第１〜１９のいずれかの態様のコンタクトレンズ装着具において、前記載置部は透明または半透明の材料からなることを特徴とする。  
【００４４】
また、第２１の態様のコンタクトレンズ装着具は、第１〜２０のいずれかの態様のコンタクトレンズ装着具において、前記載置部は着脱自在に装着されていることを特徴とする。
【００４５】
また、第２２の態様のコンタクトレンズ用器具は、コンタクトレンズを載置する搭載部と、前記搭載部のコンタクトレンズ搭載面以外の部分に設けられた接続部と、前記接続部に接続された手の指で把持する把持部とからなるコンタクトレンズ用器具であって、
前記搭載部にはコンタクトレンズを載置可能な曲面状のコンタクトレンズ搭載面が設けられ、
前記接続部は一端に前記搭載部が係合されたシャフト部材からなり、かつ、
前記シャフト部材は前記把持部に対して前記シャフト部材の延在方向に移動可能に係合されることにより、
コンタクトレンズを装着すること、取外すこと、または、着脱することが可能であることを特徴とする。ここで、搭載部は、載置部及び吸盤部を含む。
【発明の効果】
【００４６】
本発明の第１の態様のコンタクトレンズ装着具は、コンタクトレンズを載置する載置部と、前記載置部のコンタクトレンズ載置面以外の部分に設けられた接続部と、前記接続部に接続された手の指で把持する把持部とからなるコンタクトレンズ装着具であって、
前記載置部はコンタクトレンズ載置面側に凹となる曲面状であり、
前記載置部のコンタクトレンズ載置面側には、環状に配置した複数の突起からなる突起群が同心状に複数層設けられており、
前記各突起群はコンタクトレンズ載置面側に凸となるように設けられており、
前記突起がコンタクトレンズを支持する構成を備える。この構成により、コンタクトレンズの載置部にコンタクトレンズを安定して載置できる。また、コンタクトレンズは、載置部に設けられた複数の突起群の先端に支持されているため、コンタクトレンズを眼球に装着した際にはコンタクトレンズを載置部から引き離しやすい。そして、当該装置を手の指で把持する把持部は、載置部から離れた位置にあるため、手によって視界が遮られることがなく、眼球の角膜に対して正確にコンタクトレンズを位置合わせすることができる。
したがって、コンタクトレンズの載置部にコンタクトレンズを安定して載置できるために、載置部を傾けてもコンタクトレンズが落ちることがない。また、コンタクトレンズを眼球に装着した際にはコンタクトレンズを載置部から引き離しやすい。さらに、眼球の角膜に対して正確にコンタクトレンズを位置合わせすることができる。そして、手で直接コンタクトレンズに触れることがないため、手に付いた細菌がコンタクトレンズに付着するという衛生上の問題もない。
【００４７】
また、第２の態様のコンタクトレンズ装着具は、第１の態様のコンタクトレンズ装着具において、前記突起群は同心状に２層設けられている構成を備える。この構成により、突起群の配置をシンプルなものとしながら、コンタクトレンズを各突起群の先端により支持することができる。したがって、突起部によりコンタクトレンズの載置部にコンタクトレンズを安定して載置できるために、載置部を傾けてもコンタクトレンズが落ちることがない。また、コンタクトレンズを眼球に装着した際にはコンタクトレンズを載置部から引き離しやすい。
【００４８】
また、第３の態様のコンタクトレンズ装着具は、第１または２の態様のコンタクトレンズ装着具において、前記突起群の中の最外層の突起群は、前記載置部の外周に沿って設けられている構成を備える。この構成により、載置部の外周においてコンタクトレンズが、載置部の突起以外の部位に張り付くことを防止することができる。したがって、コンタクトレンズを眼球に装着した際にはコンタクトレンズを載置部から引き離しやすい。また、最外層の突起により載置部の外周においてコンタクトレンズを支持できるため、コンタクトレンズの載置部にコンタクトレンズを安定して載置できる。
【００４９】
また、第４の態様のコンタクトレンズ装着具は、第１〜３のいずれかの態様のコンタクトレンズ装着具において、前記載置部の直径は、コンタクトレンズの直径よりも小さい構成を有する。この構成により、載置部を眼球に近づけていく際に、載置部が直接眼球に触れることを防ぐとことができる。したがって、当該コンタクトレンズ装着具によって、眼球に傷をつける恐れはない。また、載置部が直接眼球に触れることがないため、衛生中の問題も解消できる。
【００５０】
また、第５の態様のコンタクトレンズ装着具は、第１〜４のいずれかの態様のコンタクトレンズ装着具において、前記各層の突起群の各突起は等間隔に配置されている構成を有する。突起の間隔が空いた部分があるとコンタクトレンズが載置部の突起以外の部位に張り付く恐れがある。前記構成によれば、突起部が均等に配置されるため、突起の間隔が空いた部分が生じにくいため、コンタクトレンズが載置部の突起以外の部分に張り付くことを防ぎ、コンタクトレンズを眼球に装着した際にはコンタクトレンズを載置部から引き離しやすい。また、突起の間隔が等間隔であると、突起部によりコンタクトレンズの載置部にコンタクトレンズを安定して載置できる。
【００５１】
また、第６の態様のコンタクトレンズ装着具は、第１〜５のいずれかの態様のコンタクトレンズ装着具において、前記各層の突起群の中、隣り合う層の突起群について、内層の突起の数は外層の突起の数以下である構成を有する。この構成により、突起間の距離が均等になるように配置することができる。したがって、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【００５２】
また、第７の態様のコンタクトレンズ装着具は、第１〜６のいずれかの態様のコンタクトレンズ装着具において、前記各層の突起群は同心円状に設けられている構成を有する。この構成により、円形の載置部に対して、各突起の間隔をより均等に配置することができる。これにより、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【００５３】
また、第８の態様のコンタクトレンズ装着具は、第７の態様のコンタクトレンズ装着具において、前記各層の突起群を結ぶ各円周の中の隣り合う円周の間隔はいずれも等しい構成を有する。この構成により、円形状の載置部に対して径方向についても均等に突起群を配置することができるため、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【００５４】
また、第９の態様のコンタクトレンズ装着具は、第１〜８の態様のコンタクトレンズ装着具において、前記把持部は前記載置部を包み込む有底筒状の本体部材からなり、
前記接続部は前記本体部材の底部に接続されるシャフト部材であり、
前記載置部はコンタクトレンズ載置面側が前記本体部材の開口側を向くように、前記シャフト部材の先端部に設けられている構成を有する。この構成により、前記本体部材の開口を目の周りの顔に対して位置合わせすることができるようになる。それにより、眼球の角膜に対して正確にコンタクトレンズを位置合わせすることができる。また、前記載置部と眼球の角膜との間の距離を適切に設定することができる。さらに、この設定を調整することにより、本体部材の開口を目の周りの顔に宛がうだけで、眼球の角膜に対して正確にコンタクトレンズを三次元的に位置合わせすることができる。また、これにより片手で簡単に、かつ、正確にコンタクトレンズを装着することができる。  
【００５５】
また、第１０の態様のコンタクトレンズ装着具は、第９の態様のコンタクトレンズ装着具において、前記本体部材の開口側の形状は、眼球の周りの顔の凹凸形状に沿う形状である構成を有する。この構成により、顔の凹凸に合わせて前記本体部材をより正確に位置合わせすることができるため、眼球の角膜に対してより正確にコンタクトレンズを位置合わせすることができる。
【００５６】
また、第１１の態様のコンタクトレンズ装着具は、第９または１０の態様のコンタクトレンズ装着具において、前記シャフト部材は前記本体部材の底部と交差する方向に摺動自在に接続されており、
前記載置部は前記シャフトの摺動に応じて、前記本体部材の底部からの距離が可変となるように設けられている構成を有している。この構成により、前記載置部から眼球の角膜までの距離の調整を任意にできるようになる。この距離を予め最適に設定しておけば、前記本体部材を眼球の周りの顔に宛がうだけで、眼球の角膜に対して正確にコンタクトレンズを三次元的に位置合わせすることができる。
また、前記本体部材を眼球の周りの顔に宛がった状態で、前記シャフト部材を前記載置部と反対側から手の指でゆっくりと押し出し、コンタクトレンズが眼球に触れるところで、指を離せば、眼球の角膜に対して正確にコンタクトレンズを三次元的に位置合わせすることができる。
【００５７】
また、第１２の態様のコンタクトレンズ装着具は、第９〜１１のいずれかの態様のコンタクトレンズ装着具において、前記シャフト部材は前記本体部材の底部を貫通して接続されており、かつ、バネ部材により前記載置部が設けられている先端部とは反対の方向に付勢されている構成を有する。この構成によれば、前記本体部材を眼球の周りの顔に宛がった状態で、初期位置にある前記シャフト部材を前記載置部と反対側からバネ部材の付勢に抗して手の指でゆっくりと押し出し、コンタクトレンズが眼球に触れるところで指を離せば、眼球の角膜に対して正確にコンタクトレンズを三次元的に位置合わせすることができる。さらに、指を離しただけで、前記シャフト部材は初期位置に自動的に復帰するために、使用者が自分の指でシャフト部材を初期位置まで毎回戻す必要がない。
【００５８】
また、第１３の態様のコンタクトレンズ装着具は、第９〜１２のいずれかの態様のコンタクトレンズ装着具において、前記本体部材は透明または半透明の材料からなる構成を有する。この構成により、前記本体部材により視界が遮られることはないため、本体部材を眼球の周りの顔に容易に位置合わせすることができ、また、前記本体部材を眼球に近づけていく際に条件反射で瞼を閉じてしまうことがなくなる。載置部と眼球の角膜との間の距離を調整する際にも、周囲の視界が確保された状態となるために、条件反射で瞼を閉じてしまうことがなくなる。
【００５９】
また、第１４の態様のコンタクトレンズ装着具は、第９〜１３のいずれかの態様のコンタクトレンズ装着具において、前記コンタクトレンズ装着具は、収納ケースに収納される構成を有している。この構成により、当該コンタクトレンズ装着具を携帯する際に、前記本体部材の開口部を前記カバーにより塞ぐことができるので、前記載置部を含む前記本体部材の内側を常に清潔な状態に保つことができる。また、前記本体部材の開口側の突起部が前記カバーにより覆われるため、携帯に便利である。
【００６０】
また、第１５の態様のコンタクトレンズ装着具は、第１４の態様のコンタクトレンズ装着具において、前記本体部材の開口側には、前記収納ケースのから載置部まで延出した押さえ部材が設けられている構成を有している。この構成により、コンタクトレンズを前記載置部に載せたままの状態で前記本体部材に前記カバーを被せることにより、前記押さえ部が載置部との間でコンタクトレンズを挟み込むことによりコンタクトレンズを固定することができる。したがって、コンタクトレンズを前記載置部に載せたままの状態で当該コンタクトレンズ装着具を携帯しても、コンタクトレンズが前記載置部からずれることを防ぐことができる。これによって、外出先で手が洗えないような場合でも直接コンタクトレンズに手を触れる必要がないので、手に付いた細菌がコンタクトレンズに付着するという衛生上の問題はない。
【００６１】
また、第１６の態様のコンタクトレンズ装着具は、第１５の態様のコンタクトレンズ装着具において、前記押さえ部の形状は、コンタクトレンズを掬い上げることができる形状である構成を有している。この構成により、外出先でコンタクトレンズを収納容器から取り出す際に、前記カバーの前記押さえ部を用いてコンタクトレンズを掬い上げることにより、コンタクトレンズに直接手を触れることなしにコンタクトレンズを前記載置部に載せることができる。したがって、外出先においても手に付いた細菌がコンタクトレンズに付着するという衛生上の問題はない。
【００６２】
また、第１７の態様のコンタクトレンズ装着具は、第９〜１３のいずれかの態様のコンタクトレンズ装着具において、前記本体部材をそれぞれ挿入可能な一対の挿入孔を有するフレーム部材をさらに備え、
前記各挿入孔にはそれぞれ前記本体部材を挿入する構成を有している。この構成により、前記フレーム部材の一対の挿入孔にそれぞれ一対の前記本体部材を挿入した場合には、両目に対して一度にコンタクトレンズを装着することができる。
また、前記フレーム部材を眼球の周りの顔に位置合わせすることになるため、前記本体部材を単独で眼球の周りの顔に位置合わせする場合に比べて、より容易かつ正確に前記フレーム部材を顔に位置合わせをすることができる。
【００６３】
また、第１８の態様のコンタクトレンズ装着具は、第１７の態様のコンタクトレンズ装着具において、前記フレームの両端には一対のテンプルを設け、
前記フレームの前記一対の挿入孔の間にはブリッジ及びノースパッドを設ける構成を有している。この構成により、フレーム部材はメガネのフレームと同様の構成となるため、メガネを掛けるのと同様の動作により、さらに容易かつ正確に前記フレーム部材を顔に位置合わせをすることができる。
【００６４】
また、第１９の態様のコンタクトレンズ装着具は、第１〜８のいずれかの態様のコンタクトレンズ装着具において、前記把持部は棒状のグリップ部材であり、
前記接続部の一端には前記把持部が接続され、かつ、他端には前記載置部の前記コンタクトレンズ載置面以外の部位が接続されている構成を有している。この構成により、当該コンタクトレンズ装着具をより簡略な構造とすることができるので、コンタクトレンズを装着する操作がより単純になる。さらに、製造コストのさらなる低減をも図ることができる。
【００６５】
また、第２０の態様のコンタクトレンズ装着具は、第１〜１９のいずれかの態様のコンタクトレンズ装着具において、前記載置部は透明または半透明の材料からなる構成を有している。この構成により、当該コンタクトレンズ装着具によってコンタクトレンズを眼球に装着する際に、載置部によって視界が遮られることを防ぐことができるため、眼球の角膜に対してより正確にコンタクトレンズを位置合わせすることができる。また、常にコンタクトレンズの方向の視野を確保することができるため、条件反射で瞼を閉じてしまうことを、さらに確実に防ぐことができる。
【００６６】
また、第２１の態様のコンタクトレンズ装着具は、第１〜２０のいずれかの態様のコンタクトレンズ装着具において、前記載置部は着脱自在に装着されている構成を有している。この構成により、載置部は着脱可能であり、載置部を取り外して洗浄することが可能である。また、載置部を交換することもできるので、新品への交換、コンタクトレンズの寸法に応じた交換等も可能であり、さらに、載置部を、コンタクトレンズを吸い付ける機能を有するものに交換すれば、コンタクトレンズの装着のみでなく、コンタクトレンズの取外し、あるいは、コンタクトレンズの装着と取外しの両方ができる。
【００６７】
また、第２２の態様のコンタクトレンズ用器具は、コンタクトレンズを載置する搭載部と、前記搭載部のコンタクトレンズ搭載面以外の部分に設けられた接続部と、前記接続部に接続された手の指で把持する把持部とからなるコンタクトレンズ用器具であって、
前記搭載部にはコンタクトレンズを載置可能な曲面状のコンタクトレンズ搭載面が設けられ、
前記接続部は一端に前記搭載部が係合されたシャフト部材からなり、かつ、
前記シャフト部材は前記把持部に対して前記シャフト部材の延在方向に移動可能に係合されることにより、
コンタクトレンズを装着すること、取外すこと、または、着脱することが可能である構成を有している。この構成により、眼球に装着したコンタクトレンズに対して正確に位置合わせすることができるコンタクトレンズ用器具を提供することができ、また、簡易な構造によって片手で簡単にコンタクトレンズを取り外すことができるコンタクトレンズ用器具を提供することができ、さらに、コンタクトレンズの装着または取外しの一方に加え、コンタクトレンズの装着とコンタクトレンズの取外しの両方ができるコンタクトレンズ用器具を提供することができる。この際、搭載部としては、載置部１１だけではなく、コンタクトレンズ吸着面を有する吸盤部７１を採用することができるため、コンタクトレンズの装着のみでなく、コンタクトレンズの取外し、あるいは、コンタクトレンズの装着と取外しの両方ができる。
【図面の簡単な説明】
【００６８】
【図１】実施形態１に係るコンタクトレンズ装着具の斜視図である。
【図２】図１のＩ−Ｉ線での断面図である。
【図３】実施形態１に係るコンタクトレンズ装着具の上面図である。
【図４】実施形態１に係るコンタクトレンズ装着具の初期状態における断面図である。
【図５】実施形態１に係るコンタクトレンズ装着具の接触状態における断面図である。
【図６】載置部の一例の上面図である。
【図７】載置部の他の例の上面図である。
【図８】突起部の断面図である。
【図９】実施形態２のコンタクトレンズ装着具の断面図である。
【図１０】実施形態３のコンタクトレンズ装着具の斜視図である。
【図１１】実施形態４のコンタクトレンズ装着具の斜視図である。
【図１２】実施形態５のコンタクトレンズ取外具の斜視図である。
【図１３】図１２のＩＩ−ＩＩ線での断面図である。
【図１４】実施形態５のコンタクトレンズ取外具の上面図である。
【図１５】実施形態５のコンタクトレンズ取外具の初期状態の断面図である。
【図１６】実施形態５のコンタクトレンズ取外具の接触状態の断面図である。
【図１７】実施形態５のコンタクトレンズ取外具のコンタクトレンズ取外後の断面図である。
【図１８】実施形態６のコンタクトレンズ着脱具の断面図である。
【図１９】実施形態７のコンタクトレンズ着脱具の断面図である。
【図２０】実施形態８のコンタクトレンズ取外具の斜視図である。
【図２１】実施形態９のコンタクトレンズ着脱具の斜視図である。
【図２２】実施形態１０のコンタクトレンズ着脱具の斜視図である。
【発明を実施するための形態】
【００６９】
以下、図面を参照して本発明の実施形態を説明する。但し、以下に示す実施形態は、本発明の技術思想を具体化するためのコンタクトレンズ装着具、取外具、着脱具を例示するものであって、本発明をこれに特定することを意図するものではなく、本発明は特許請求の範囲に含まれるその他の実施形態のものにも等しく適用し得るものである。
【００７０】
［実施形態１］
図１〜８を参照して、実施形態１のコンタクトレンズ装着具を説明する。図１〜３に示すように、実施形態１のコンタクトレンズ装着具１０は、コンタクトレンズを載置する載置部１１と、載置部１１のコンタクトレンズ載置面２３以外の部分に設けられた接続部としてのシャフト部材１２と、シャフト部材１２に接続された手の指で把持する把持部としての本体部材１３を備えている。本体部材１３は載置部１１を側面側及び底面側から覆うような有底筒状の部材であり、コンタクトレンズ載置面２３側に開口２２有しており、底部１８と、底部から開口２２に向けて立ち上がった側部１９と、側部１９の開口２２側に設けられたリップ部２０を備えている。
【００７１】
（本体部材１３の材質）
本体部材１３は透明または半透明の材料で形成されている。また、この材料は抗菌性を有することが望ましい。透明または半透明の材料としては樹脂材料が好ましく、例えば、ポリエチレン、ポリプロピレン、ポリエチレンテレフタレート、塩化ビニール、ポリスチレン、ＡＢＳ樹脂、アクリル、ポリアミド、ポリカーボネート、四フッ化エチレン、ポリオレフィン、ポリウレタン、シリコーン樹脂、フェノール樹脂、メラミン、不飽和ポリエステル、エポキシ等の樹脂材料が挙げられる。また、これらの樹脂に抗菌性を持たせるために、これらの樹脂に抗菌剤を添加することが望ましい。抗菌剤としては、銀錯体系抗菌剤（チオサルファイト銀錯体とシリカゲルから構成される抗菌剤）、無機系抗菌剤（銀ゼオライト、チオサルファイト銀錯体等）、有機系抗菌剤（ニトリル誘導体、イミダゾール誘導体、トリアジン誘導体、フェノールエーテル誘導体、ピロール誘導体等）等が挙げられる。シリコーン樹脂の中では例えばポリアミドシリコーン樹脂が抗菌剤の添加に適している。本体部材１３は、公知の成型法、例えば、射出成型、真空成型、真空注型、圧空成型により作成することができる。
【００７２】
（リップ部について）
前記リップ部２０は眼球の周りの顔の凹凸形状に合わせて成形されており、前記リップ部を眼球の周りの顔に宛がうと、前記リップ部２０の滑らかな凹凸形状が顔の凹凸形状に一致するので、眼球の角膜に対して前記本体部材１３を三次元的に位置合わせすることができる。また、前記リップ部２０の材質は、前記本体部材１３の他の部分よりも軟質な材質であることが望ましい。このような前記本体部材１３を製造するためには、前記リップ部２０を前記本体部材１３の他の部分とは別に成形しておき、両者を接合させればよい。あるいは、前記リップ部２０の部分だけを前記本体部材１３の他の部分とは異なる材料とするように二色成形してもよい。このように軟質の材質で形成された前記リップ部は、眼球の周りの顔に密着するため、眼球の角膜の位置に対して前記本体部材１３を正確に位置合わせすることができる。
【００７３】
次に、図１〜３を参照して、前記リップ部２０の形状を詳細に説明する。図２〜３に描かれた向きは左目用となっているので、ここではコンタクトレンズ装着具１０を左目の周りの顔に宛がう場合について説明する。図３の紙面に対して正面から左目に向けてコンタクトレンズ装着具１０を宛がうことになる。図３に示すように、リップ部２０の形状を上から見ると左右の曲率半径が異なる楕円状となっている。また、図２に示すように、リップ部２０の左側が最も高い位置にあり、中央部に向けて凹曲面状となり、右側では左側よりも低い位置になるように再び滑らかに立ち上がっている。これは、左目よりも顔の中心側で鼻の左横に対してリップ部２０の右側が当接し、左目の目尻の左横にリップ部２０の左側が当接し、左目全体を完全に覆うように本体部材１３を左目に宛がったときに、リップ部のなめらかな凹凸形状が顔の凹凸形状と一致するようにするためである。リップ部の開口側端部は顔の凹凸形状に一致するように、外側に向かって広がるように湾曲している。また、リップ部は軟質の材質でできているために、目の周りの顔に宛がったときに、リップ部２０を顔に密着させることができるので、眼球の角膜に対してコンタクトレンズ装着具１０を正確に位置決めすることができる。
また、コンタクトレンズ装着具１０を右目に宛がうときには、図２〜３の向きからシャフト部材１２を中心にして１８０°回転させた向きで使用する。
【００７４】
（本体部材の形状について）
次に、本体部材１３のリップ部以外の部位の形状について詳細に説明する。底部１８は略円形である。底部から円筒状に側壁部が立ち上がり、開口２２側では徐々にリップ部２０の形状に一致するように外側に広がっている。図３に示すように、左側の広がりが一番大きく、次に右側の広がりが大きい、上側と下側では底部１８の径と略同一の寸法となっている。また、この形状は一例であり、本体部材１３の側部及び底部の形状は手で把持しやすいものであればどのような形状であってもかまわない。
底部１８の中央部にはシャフト部材１２を貫通するための貫通孔２１が設けられている。貫通孔２１の径はシャフト部材１２をなめらかに摺動可能にする程度に設定されている。
【００７５】
（シャフト部材について）
次に、接続部としてのシャフト部材１２の構造を説明する。シャフト部材１２の開口２２側の端部には載置部１１が設けられ、他端にはつまみ１６が設けられている。つまみ１６はシャフト部材１２よりも大径であり、後述するバネ部材１７を受けるバネ受けとして作用する。つまみ１６はシャフト部材１２と一体に形成しても、別体としてもいずれでもかまわないが、後述のように、つまみ１６のシャフト部材長さ方向の位置はシャフト部材のストロークを決定するので、つまみ１６をシャフト部材１２とは別体として、つまみ１６のシャフト部材長さ方向の位置を調整できるようにしておくことが望ましい。
シャフト部材１２の載置部１１とつまみ１６との間の部分は、本体部材１３の底部１８の貫通孔２１と、スリーブ部材１４とに貫通している。スリーブ部材１４は円筒状の部材であり中心には貫通孔を有しており、この貫通孔にシャフト部材１２を貫通した状態で、底部１８よりも載置部１１側、つまり、本体部材１３の内部側に設けられている。このスリーブ部材１４は、底部１８に対して垂直に固定されており、シャフト部材１２は底部１８と垂直方向になめらかに摺動するように配置される。
【００７６】
図２では、スリーブ部材１４が本体部材の内側で、底部１８に固定されている例を示しているが、スリーブ部材１４は底部１８に固定されていなくともよい。スリーブ部材１４が底部１８に固定されていない場合には、つまみ１６を底部１８の水平方向へ操作することによって、シャフト部材１２の角度を底部１８に対して垂直な状態から可変にすることができるので、載置部１１の位置を眼球の角膜に対して調整することができる。
また、スリーブ部材１４は底部１８の貫通孔２１に嵌合するように固定されていてもよい。この場合には、シャフト部材１２が直接貫通孔２１に接触することがなく、スリーブ部材１４のみに摺接することになり、シャフト部材１２はスリーブ部材１４に対して滑らかに可動できる。
【００７７】
また、シャフト部材１２のスリーブ部材１４よりも上の位置には拡径部１５が設けられている。この拡径部１５はシャフト部材１２の他の部位よりも大径となるように設けられており、シャフト部材１２と一体に形成しても、別部材として固着しても、いずれでもよいが、後述のように拡径部１５の位置は初期状態の各部の距離関係を決定するものであるので、拡径部１５をシャフト部材１２とは別部材として設け、拡径部１５のシャフト部材１２長さ方向の位置を調整できるようにしておくことが望ましい。
また、図２では拡径部１５の長さを比較的短い長さＬ１として示しているが、この長さを後述する初期状態におけるスリーブ部材１４と載置部１１との間の長さＬ２としてもよい。すなわち、拡径部１５の長さは、Ｌ２以下の任意の長さとすることができる。
【００７８】
底部１８の載置部１１とは反対側からはシャフト部材１２が延出して、その先端にはつまみ１６が設けられている。シャフト部材１２のつまみ部１６と底部との間には、バネ部材１７が外嵌され、シャフト部材１２は載置部１１とは反対方向に付勢されている。
シャフト部材は図２では、つるまきバネであるバネ部材１７の内側にシャフト部材１２が配置されるものとして示されているが、必ずしも図２のとおりの配置でなくてもよく、例えば、シャフト部材の周囲にその内側にシャフト部材１２が配置されるのではない態様でバネ部材１７を配置してもかまわないし、バネ部材はつるまきバネ以外の弾性部材、例えば板バネ等でもかまわない。また、つまみ１６側と本体部材１３の底部１８側の一方、または両方に適宜のバネ受けを設けてもよい。
【００７９】
図４はリップ部２０を左目の周りの顔に宛がって、眼球の角膜に対してコンタクトレンズ装着具１０を位置決めした状態であって、つまみ１６から手を離した状態を示す。ここで、Ｌ１〜Ｌ４の定義は次のとおりとする。
Ｌ１：拡径部の長さ
Ｌ２：初期状態での載置部１１とスリーブ部材との間の長さ
Ｌ３：初期状態での底部１８とつまみ１６との間の長さ
Ｌ４：載置部１１に載置されたコンタクトレンズと眼球の角膜との初期状態での距離
ここで、「初期状態」とはつまみ１６から手を離した状態をいう。初期状態ではバネ部材１７によりシャフト部材１２が載置部１１とは反対方向に付勢されているので、載置部１１が眼球の角膜から最も離れた状態となる。
【００８０】
図５は、リップ部２０を左目の周りの顔に宛がって、眼球の角膜に対してコンタクトレンズ装着具１０を位置決めした状態であって、つまみ１６を押し込んで、眼球２６にコンタクトレンズ２７が触れた状態を示す。ここで、Ｌ２'、Ｌ３'、Ｌ５、Ｌ６の定義は次のとおりとする。
Ｌ２'：接触状態での載置部１１とスリーブ部材との間の長さ
Ｌ３'：接触状態での底部１８とつまみ１６との間の長さ
Ｌ５ ：初期状態から接触状態までにつまみ１６を押し込んだ距離
Ｌ６ ：バネ部材１７が最も縮まった時の長さ
ここで「接触状態」とは、つまみ１６を押し込んで、眼球２６にコンタクトレンズ２７が触れた状態を示す。
【００８１】
シャフト部材１２の初期状態での位置は、拡径部１５のシャフト部材長さ方向の位置によって決定される。シャフト部材１２は載置部１１と反対方向に付勢されているので、初期状態においては拡径部１５がスリーブ部材１４の端面に押し付けられて止まっている。したがって、載置部１１に載置したコンタクトレンズの初期位置は、拡径部１５のシャフト部材長さ方向の位置によって調整することができる。
一方、接触状態においては、バネ部材の付勢力に抗して手の指でつまみ１６を載置部１１側に押し込み、その押し込み距離がＬ５になったところで、載置部１１に載置したコンタクトレンズ２７が眼球２６にちょうど接触する。したがって、接触状態とするためには、手の指でつまみ１６を押し込む距離を調整すればよい。
接触状態からつまみ１６をさらに押し込もうとすると、バネ部材１７の長さがＬ６となったところで、バネ部材１７が最も縮まった長さとなるので、それ以上つまみ１６を押し込むことはできない。バネ部材１７がリミッタの作用を持つ。この状態を「リミット状態」と呼び、この時の底部１８とつまみ１６との間の長さをＬ３''と定義する。したがって、載置部１１に載置したコンタクトレンズのリミット状態での位置は、つまみ１６のシャフト部材長さ方向の位置によって調整することができる。なお、ここではバネ部材１７にリミッタの作用を持たせる例を説明したが、これに限らず、別途、シャフト部材が押し込まれすぎることを防ぐリミッタ部材を設けてもよい。
Ｌ３''：リミット状態での底部１８とつまみ１６との間の長さ
【００８２】
（載置部について）
載置部１１はシャフト部材１２の開口２２側に固定されており、コンタクトレンズ２７はコンタクトレンズ載置面２３に載置される。載置部１１をシャフト部材の先端に固定する方法としては、ねじ留め、スナップ、凹凸嵌合、接着等が挙げられるところ、載置部１１を交換できるように着脱自在に固定することが望ましい。載置部が着脱可能であると、載置部を取り外して洗浄することが可能である。また、載置部を交換することもできるので、新品への交換、コンタクトレンズの寸法に応じた交換等も可能であり、さらに、載置部を、コンタクトレンズを吸い付ける機能を有するものに交換すれば、コンタクトレンズの取外しや、コンタクトの装着と取外しの両方が      可能である。コンタクトレンズを吸い付ける機能を有する載置部の構成の詳細については後述する。
【００８３】
載置部１１の形状は、図３に示すように開口２２側から見ると円形であり、図１に示すように開口２２側に凹となる曲面状をしており、また図２に示すように横断面は円弧状の形状をしている。載置部１１は柔軟性のある材料で形成されているので変形可能である。載置部１１の横断面形状は、コンタクトレンズを載置した状態では載置部１１の曲面形状はコンタクトレンズの凸曲面形状と一致しており、その曲率半径はコンタクトレンズの曲率半径と略一致し、かつ、その曲率半径は眼球の角膜の曲率半径と略一致している。したがって、コンタクトレンズを載置した状態で手の指でつまみ１６を押し込んで載置部１１を眼球に近づけていき、接触状態となった時に、コンタクトレンズの曲率半径と眼球の角膜の曲率半径が略一致しているためにコンタクトレンズが眼球の角膜に張り付きやすくなり、また、コンタクトレンズは突起群に載置しているため載置部１１から引き離し易くなる。
【００８４】
コンタクトレンズの曲率半径はＢＣ（Base Curve、単位はｍｍ）で表され、直径はＤＩＡ（Diameter、単位はｍｍ）で表される。ＢＣとはコンタクトレンズの曲面の曲率半径であり、ＤＩＡはコンタクトレンズを正面から投影した直径である。ＢＣは使用者の眼球の角膜の曲率半径にあったものを選ぶが、ソフトコンタクトレンズ、特に使い捨てコンタクトレンズは柔軟であり、角膜にフィットするようにできているため、コンタクトレンズによってはＢＣが一種類のものもある。使い捨てコンタクトレンズのＢＣは８．３〜９．０程度のものが多く、特に８．６〜８．７のものが多い。
そこで、載置部１１の曲率半径を８．６ｍｍ〜８．７ｍｍ程度に設定しておけば、多くの使い捨てコンタクトレンズに対して、共通に使用することが可能である。
一方、ハードコンタクトレンズの場合には、ＢＣの違いが使用者のフィット感に大きく影響する。そのため、ハードコンタクトレンズではＢＣの種類がきめ細かく用意されている。この場合、曲率半径が異なる載置部１１を複数種類用意しておき、コンタクトレンズのＢＣに応じて載置部１１を交換することができる。あるいは、後述のように載置部に設けられた突起群の高さにより、コンタクトレンズのＢＣに応じた調整をすることもでき、さらには、１つの載置部により複数種類のＢＣに対応することも可能である。
【００８５】
載置部１１の直径は、コンタクトレンズの直径よりも若干小さくなっている。このため、載置部１１を眼球に近づけていき接触状態となった時に、載置部１１が直接、眼球に触れることがなく、安全であると共に、直接眼球に触れる部位が少ないことは衛生上も好ましい。逆に、載置部１１の直径が小さすぎると、コンタクトレンズの載置が不安定となる恐れがある。
コンタクトレンズの直径であるＤＩＡの値は、使い捨てソフトコンタクトレンズでは１４ｍｍ前後、ハードコンタクトレンズでは９ｍｍ前後のものが多い。そこで、載置部１１の直径は、使い捨てソフトコンタクトレンズ用としては５ｍｍ〜１４ｍｍ程度とし、ハードコンタクトレンズ用としては５ｍｍ〜９ｍｍ程度が好ましい。
【００８６】
載置部１１の材質は、柔軟な樹脂であれば特に限定されるものではないが、載置部１１はコンタクトレンズに直接触れる部位なので、抗菌性樹脂であることが望ましい。また、載置部１１を眼球に近づけていった時に条件反射で瞼を閉じてしまうことをより確実に防ぐためには、載置部１１の材質は透明または半透明の樹脂材料であることが望ましい。透明または半透明の樹脂材料としては、例えば、ポリエチレン、ポリプロピレン、ポリエチレンテレフタレート、塩化ビニール、ポリスチレン、ＡＢＳ樹脂、アクリル、ポリアミド、ポリカーボネート、四フッ化エチレン、ポリオレフィン、ポリウレタン、シリコーン樹脂、フェノール樹脂、メラミン、不飽和ポリエステル、エポキシ等の樹脂材料が挙げられる。また、これらの樹脂に抗菌性を持たせるために、これらの樹脂に抗菌剤を添加することが望ましい。抗菌剤としては、銀錯体系抗菌剤（チオサルファイト銀錯体とシリカゲルから構成される抗菌剤）、無機系抗菌剤（銀ゼオライト、チオサルファイト銀錯体等）、有機系抗菌剤（ニトリル誘導体、イミダゾール誘導体、トリアジン誘導体、フェノールエーテル誘導体、ピロール誘導体等）等が挙げられる。シリコーン樹脂の中では例えばポリアミドシリコーン樹脂が抗菌剤の添加に適している。
【００８７】
コンタクトレンズを装着する際に点眼薬を併用する場合には、載置部１１の材料として点眼薬の薬剤によって化学反応を生じないものを選択する必要がある。この場合には、例えばシリコーン樹脂を選択することが望ましい。載置部１１は、公知の成型法、例えば、射出成型、真空成型、真空注型、圧空成型により作成することができる。あるいは、成型して得られたものを必要に応じてカットして作成してもよい。
載置部１１はコンタクトレンズを載置する部分であるので清潔に保つ必要がある。載置部１１が抗菌性樹脂からなる場合には、日頃の手入れとしては、コンタクトレンズ装着具１０を水洗いするだけでよい。
【００８８】
（突起の配置について）
図６、７を参照して突起の配置の具体例について説明する。載置部１１のコンタクトレンズ載置面２３には、環状に配置された複数の突起からなる突起群が同心状に複数層設けられている。各突起は開口２２側に凸となるように設けられている。ここで、「層」という用語は、コンタクトレンズ搭載面には環状に配置された複数の突起からなる突起群が同心円状に複数設けられているところ、各環状に配置された複数の突起からなる突起群のことをさす。図６では「２層」の突起群を有し、図７では「３層」の突起群を有する。
【００８９】
図６には、載置部１１のコンタクトレンズ載置面の１つの例を示す。図６では、複数の突起からなる円周状に設けられた突起群が同心円状に２層設けられている。すなわち、突起群は外層突起群３０と内層突起群３１とからなる。外層突起群３０及び内層突起群３１は、載置部中心を中心とする同心円上に設けられている。外層突起群３０は載置部１１の外周に沿うように、その中心が１つの円周上に等間隔に並ぶように設けられている。内層突起群３１は外層突起群３０と載置部１１の中心との間の１つの円周上にその中心が等間隔に並ぶように設けられている。図６では、載置部１１の中心と内層突起群３１が並ぶ円周との距離は、内層突起群３１が並ぶ円周と外層突起群３０が並ぶ円周との距離に等しいが、これらの円周の半径は適宜変更可能である。
【００９０】
また、各層の突起群の中、隣り合う層の突起群について、内層の突起の数は外層の突起の数以下である。すなわち、図６では内層突起群の突起の数は、外層突起群の突起の数に等しいか、あるいは、それよりも少ない。
図６には外層突起群３０の突起の個数が１２個で、内層突起群３１の突起の個数が８個であるものが例示されているが、突起の個数はこの例に限られず、１６個と１０個、１０個と６個、８個と８個等、いろいろな組み合わせのものを採用することができる。外層の突起の数は３個以上であり、好ましくは８個以上であり、より好ましくは１２個以上である。外層の突起の数が少ないと、コンタクトレンズが載置部１１の外周の突起以外の部分に貼り付いて、コンタクトレンズ載置面からコンタクトレンズが離れにくくなってしまう。
【００９１】
ここで、外層突起群３０の突起と載置部１１の外周との距離について説明する。突起の形状は後述のように例えば半球状であり、この突起の載置部１１への付け根部分は円形となる。一つの好ましい配置例としては、この突起の載置部１１への付け根部分の円形が、載置部外周の円形に内接するものが挙げられる。このように突起を配置すると、コンタクトレンズが載置部１１の周縁部に張り付いてしまうことを防ぎやすくなるため有利である。また、必ずしもこのように突起の載置部１１への付け根部分の円形が、載置部外周の円形に内接する必要はなく、突起の載置部１１への付け根部分の円形は、載置部外周の円形の内側に離れていてもかまわないので、突起の配置の自由度を上げることもできる。この場合に、突起の載置部１１への付け根部分の円形が載置部外周の円形の内側から離れる距離が長すぎると、コンタクトレンズが載置部１１の突起以外の周縁部に張り付いてしまう恐れがあるため、外層突起群３０の各突起は、載置部１１の外周からの距離が３ｍｍ以内の範囲となるように設けることが望ましい。
【００９２】
図７には、載置部１１のコンタクトレンズ搭載面の別の例を示す。図７では突起群は、最外層突起群３２、中間層突起群３３及び最内層突起群３４からなる。最外層突起群３２の配置は図６の場合と同様なので、説明を省略する。
最外層突起群３２、中間層突起群３３及び最内層突起群３４は、載置部１１の中心を中心とするは同心円上に設けられている。最外層突起群３２は載置部１１の外周に沿うように１つの円周上にその中心が等間隔に並ぶように設けられている。最内層突起群３４は、載置部の最も内側に設けられた突起群であり、その中心が１つの円周上に等間隔に並ぶように設けられている。中間層突起群３３は、最外層突起群３２と最内層突起群３４との間に設けられており、その中心が１つの円周上に等間隔に並ぶように設けられている。図７では、載置部１１の中心と最内層突起群３４が並ぶ円周との距離と、最内層突起群３４が並ぶ円周と中間層突起群３３が並ぶ円周との距離と、中間層突起群３３が並ぶ円周と最外層突起群３２が並ぶ円周との間の距離とは、いずれも等しいが、各円周の半径は適宜変更可能である。
【００９３】
また、各層の突起群の中、隣り合う層の突起群について、内層の突起の数は外層の突起の数以下である。すなわち、図７では最内層突起群３４の突起の数は中間層突起群３３の突起の数以下であり、中間層突起群３３の突起の数は最外層突起群の突起の数以下である。図７には、最外層突起群３２、中間層突起群３３及び最内層突起群３４の突起の個数がそれぞれ、１２個、８個、６個のものが例示されているが、突起の個数はこの例に限られず、２０個と１６個と８個、１６個と１２個と６個、１２個と１２個と８個等、いろいろな組み合わせのものを採用することができる。図６の場合と同様に、最外周の突起の数は３個以上であり、好ましくは８個以上であり、より好ましくは１２個以上である。
【００９４】
（突起部の形状）
コンタクトレンズ２７は、載置部１１のコンタクトレンズ載置面２３に設けられた複数の突起群によって載置される。後述の半球状の突起部の頂点の部分にコンタクトレンズ２７が載置される。前述のとおり載置部１１の曲率半径はコンタクトレンズの曲率半径と略一致し、かつ、その曲率半径は眼球の角膜の曲率半径と略一致している。図４に示されている例では、各突起群の突起は略同一の形状、略同一の大きさを有しているので、各突起群の突起の頂点を結んだ曲面の曲率半径は、載置部１１の曲率半径と略一致し、コンタクトレンズの曲率半径と略一致し、かつ、その曲率半径は眼球の角膜の曲率半径と略一致している。
【００９５】
図８を参照して突起の形状を具体的に説明する。突起の形状は半球状であるが、球の半径や、付け根部分の膨出の仕方については自由に設計することができる。突起の球の半径が大きい方がコンタクトレンズとの接触面積が大きくなるので、安定してコンタクトレンズを保持することができ、コンタクトレンズを保持する力が大きい。突起の球の半径を小さくするに従い、コンタクトレンズを保持する力は小さくなる。また、突起の数と配置によっても、コンタクトレンズの保持力は調整可能である。突起の数が多い方がコンタクトレンズを保持する力は強くなる。さらに、突起の密度が高い方が、コンタクトレンズを保持する力は強くなる。したがって、突起の形状、大きさ、個数、配置を調整することにより、コンタクトレンズを保持する力を適宜調整することができる。これにより、載置部１１がコンタクトレンズを確実に保持すると共に、接触状態となった時にコンタクトレンズが載置部１１から簡単に離れるように調整することができる。
【００９６】
図４のようにコンタクトレンズを載置している際には、手に持った本体部材１３をシャフト部材１２が略垂直となる角度から徐々に傾けて行き、シャフト部材１２が略水平になるところまで傾けてもコンタクトレンズは載置部１１に保持されている。一方、図５のように接触状態となった際には、コンタクトレンズが載置部１１から簡単に離れて眼球に装着されるように調整することができる。
特許文献１ではコンタクトレンズの凸部側の面が底部の凹形状の接触面に密着しているために、コンタクトレンズを眼球に装着しようとした時に、コンタクトレンズを底部から引き離しにくいという問題があったが、本発明では接触状態となった際には、コンタクトレンズが載置部１１から簡単に離れて眼球に装着されるように調整することができる。
特許文献２では、コンタクトレンズの装着時に眼球が真下に向くように、顔の向きを真下に向けるという無理な姿勢を取る必要があったが、本発明では本体部材１３を傾けてもコンタクトレンズが載置部１１に確実に保持されているから、顔の向きを正面に向けたまま自然な体勢で、本体部材１３側の角度を手で傾けることにより、コンタクトレンズを装着することができ、しかも、接触状態となった際には、コンタクトレンズが載置部１１から簡単に離れて眼球に装着される。
特許文献３では、液体の表面張力によりコンタクトレンズを載置部に付着しているため、液体の量により表面張力が異なっていたが、本発明では突起の先端によりコンタクトレンズを保持しているため、載置部１１がコンタクトレンズを保持する力を容易に調整することができる。
【００９７】
図８の（ａ）〜（ｃ）には、突起の形状についての３つの例を示す。（ａ）は突起部が球状に近く、付け根部分が括れているものである。（ｂ）と（ｃ）は付け根部分に括れがなく、それぞれ球の半径及び付け根部の直径が異なる例である。（ｂ）は球の半径が大きく、付け根部の直径も大きい例で、（ｃ）が（ｂ）よりも両者が小さい例である。球の直径あるいは付け根部分の直径の大きさは、自由に設計できる。しなしながら、大きすぎると隣接する突起が重なり合うことから、また、小さすぎると微細な加工が必要になることから、いずれの場合にも製造上の問題が顕著となる上に、突起の配置の設計に制約が生じるため望ましくない。球の直径あるいは付け根部分の直径の大きさは０．２〜３ｍｍ程度が望ましい。突起の高さについても自由に設計できるが、大きすぎると載置部１１全体が大型化してしまうため、また、小さすぎるとコンタクトレンズが突起以外の部分に貼り付いてしまう恐れがあるため望ましくない。突起の高さは、０．１〜３ｍｍ程度が望ましい。各層の突起群の突起の形状及び高さは同一としても、異なるものとしても、いずれでもよい。また、同じ層内の突起の形状及び高さについても、同一としても、異なるものとしても、いずれでもよい。
【００９８】
一例としては、突起の高さを全ての突起群で同一としたものが挙げられる。他の例としては、各層の突起群の間で突起の高さを異ならせることもできる。
前者の例としては、突起の高さを全ての突起群で同一とした載置部１１を用いて異なるＢＣのコンタクトレンズに対応する場合について説明する。載置部１１の曲率半径は、標準的なＢＣの値である８．６ｍｍ〜８．７ｍｍに対応させる。これに対して、小さいＢＣのコンタクトレンズを載置部１１に載置した場合には、当該コンタクトレンズは主に内層側の突起群の突起によって支持されると共に、外層側の突起群の中の一部の突起によって支持される。逆に、大きいＢＣのコンタクトレンズを載置部１１に載置した場合には、当該コンタクトレンズは主に外層側の突起群の突起によって支持される。いずれの場合にも、コンタクトレンズは複数の突起により十分に保持されているので、コンタクトレンズ装着具を傾けてもコンタクトレンズを載置部１１に保持することができる。なお、この場合には、コンタクトレンズのＢＣに応じて載置部１１を交換する必要はない。例えば、使い捨てソフトコンタクトレンズを装着する場合である。使い捨てソフトコンタクトレンズは柔軟であるため、載置部１１に配置された各突起の先端で形成される仮想曲面にその形状を一致させやすい。
【００９９】
後者の例として、コンタクトレンズのＢＣに合わせて突起の高さを調整する場合を説明する。載置部１１の曲率半径が同一であっても、各層の突起群の突起の高さを異ならせることにより、異なるＢＣのコンタクトレンズに対応させることができる。例えば、最外層の突起群の高さを低くし、内層に向かうにつれて突起群の高さを順に高くしていく場合には、大きいＢＣのコンタクトレンズに対応する。逆に、最外層の突起群を高くし、内層に向かうについて突起群の高さを順に低くしていく場合には、小さいＢＣのコンタクトレンズに対応する。なお、この場合には、コンタクトレンズのＢＣに応じて載置部１１を交換する必要がある。例えば、ハードコンタクトレンズを装着する場合である。
【０１００】
後者の例としては、さらに、ＢＣの異なる複数のコンタクトレンズに対応するように各層の突起群の突起の高さを調整することもできる。図７の３層の例で説明する。最内層突起群３４と中間層突起群３３の突起の高さは等しくし、最外層突起群３２の突起の高さをそれらよりも低くする。このように各層の突起群の突起の高さを調整した場合、ＢＣが大きいコンタクトレンズは最外層突起群３２と中間層突起群３３とで支持し、ＢＣが小さいコンタクトレンズは中間層突起群３３と最内層突起群３４とで支持する。
同様に、4層以上の突起群を有する載置部１１では、外層側の各突起群でＢＣの大きいコンタクトレンズを保持し、内層側の各突起群でＢＣの小さいコンタクトレンズを保持し、さらに、中間層の各突起群ではＢＣが中程度（８．６〜８．７程度）のコンタクトレンズを保持するように、各層の突起群の突起の高さを調整することができる。
【０１０１】
図４及び図５を参照して、実施形態１のコンタクトレンズ装着具を用いてコンタクトレンズを装着する動作を説明する。拡径部１５及びつまみ１６のシャフト部材長さ方向の位置を調整することにより、下記の（実施例１−１）〜(実施例１−３)の場合があるので、以下詳細に説明する。拡径部１５及びつまみ１６の位置を調整できるようにしておくことは、使用者の眼球の角膜の寸法、眼球の周りの顔の形状に応じた位置合わせができるため好ましい。また、両者が調整できると下記の（実施例１−１）〜（実施例１−３）の場合のいずれにも対応することができるため好ましい。
しかしながら、両者の位置調整の手間を省くためには、両者のいずれか一方あるいは両者を固定としておいてもかまわない。この場合、予めさまざま寸法のものを用意しておき、その中から使用者に最適なものを選択することにより、両者の位置調整の手間を省き、かつ、使用者の使用態様に合わせることができる。
【０１０２】
（実施例１−１）
Ｌ２＜Ｌ２'かつＬ６＜Ｌ３'の場合
（１）図４のように初期状態において、左目用のコンタクトレンズが載置部に載置された状態で、本体部材１３を手で持って、左目の眼球の周りの顔にリップ部２０が密着する位置に、コンタクトレンズ装着具を宛がう。初期状態ではつまみから手の指を離した状態となっており、バネの反発力により、つまみは載置部１１とは反対方向に押され、拡径部１５がスリーブ部材１４に当たる位置までシャフト部材１２は載置部１１とは反対方向に押し付けられる。この時、使用者が載置部１１の中心方向を見ていれば、眼球の角膜に対して少し離れた距離（Ｌ４）でコンタクトレンズが正確に位置合わせされる。
【０１０３】
（２）この状態でつまみ１６を載置部１１の方向に向かって手の指で押し込んでいく。これにより、載置部に載置されたコンタクトレンズが、眼球に向かって近づいていく。この時、シャフト部材１２はスリーブ部材１４に支持されているため滑らかに動く。また、使用者はバネ部材１７の反発力に抗してつまみを押し込むため、自然とゆっくりとつまみを操作することができる。
【０１０４】
（３）図５のように接触状態において、コンタクトレンズが眼球に触れたことを使用者が感じたら、使用者はつまみ１６から指を離す。この時、コンタクトレンズは眼球に装着されている。使用者がつまみ１６から指を離すと、つまみ１６はバネ部材１７の反発力で載置部１１とは反対方向に押し戻され、図４の初期状態に復帰する。コンタクトレンズが眼球に装着された状態では眼球とコンタクトレンズとの間の表面張力が、載置部１１のコンタクトレンズを保持する力よりも大きいので、コンタクトレンズは載置部１１から容易に離れることができる。
使用者がつまみ１６を押し込みすぎるとコンタクトレンズが眼球に強く押し付けられる恐れがあるが、リミット状態ではバネ部材にストッパの機能があるので安全である。バネ部材の最短長さＬ６は決まっているおり、リミット状態においてＬ３''＝Ｌ６となったところで、シャフト部材１２はそれ以上載置部１１方向には移動しないため、バネ部材にはストッパの機能がある。
【０１０５】
（４）次に、図４及び図５とはシャフト部材１２を中心に１８０°コンタクトレンズ装着具１０を回転させた状態で、右目用のコンタクトレンズを載置部１１に載置する。後は、左目にコンタクトレンズを装着したのと同様に、上記（１）〜（３）と同様の手順で、右目にコンタクトレンズを装着する。なお、左目から先にコンタクトレンズを装着する例で説明したが、右目から先にコンタクトレンズを装着してもかまわないし、片目だけにコンタクトレンズを装着する場合も上記（１）〜（３）と同様の手順で可能である。
【０１０６】
（実施例１−２）  
Ｌ２＜Ｌ２'かつＬ３'＝Ｌ６の場合
上記（実施例１−１）と同様の手順についての説明は省略する。上記（実施例１−１）とは手順（３）のリミット状態が相違している。上記手順（３）において、使用者はつまみ１６を載置部１１の方向に向かってリミット状態となるまで手の指で押し込んでいく。Ｌ３'＝Ｌ６となるようにつまみ１６の位置が調整されているので、リミット状態の時にちょうど接触状態となり、コンタクトレンズは眼球に装着されている。この状態でつまみ１６から手の指を離せば、つまみ１６はバネ部材１７の反発力で載置部１１とは反対方向に押し戻され、図４の初期状態に復帰する。
つまみ１６の位置調整を適切にできれば、上記（実施例１−１）の場合よりも素早くつまみ１６を押し込むことが可能になると共に、Ｌ３'＝Ｌ６であるので、コンタクトレンズを眼球に強く押し当てる恐れがない。
【０１０７】
（実施例１−３）      
Ｌ２＝Ｌ２'の場合
図４のように初期状態において、左目用のコンタクトレンズが載置部に載置された状態で、本体部材１３を手で持って、左目の眼球の周りの顔にリップ部２０が密着する位置に、コンタクトレンズ装着具を宛がう。この時、Ｌ２＝Ｌ２'であるので、接触状態となり、コンタクトレンズは眼球に装着されている。次に、コンタクトレンズ装着具１０を顔から離せば、コンタクトレンズは載置部１１から離れ、眼球に装着された状態となる。次に、右目用のコンタクトレンズの装着も同様に行うことができる。なお、左目から先にコンタクトレンズを装着する例で説明したが、右目から先にコンタクトレンズを装着してもかまわないし、片目だけにコンタクトレンズを装着する場合も同様の手順で可能である。
【０１０８】
この場合、つまみ１６の操作は不要であるので、少ない動作でコンタクトレンズを装着することができる。本発明の実施形態１のコンタクトレンズ装着具１０の使用に慣れた場合には、この（実施例１−３）のように拡径部１５の位置を調整しておけば、簡単にコンタクトレンズを眼球の角膜に位置合わせして、コンタクトレンズを装着することができる。
また、（実施例１−３）を実施するためには、可動機構が不要となるため、シャフト部材１２が直接、本体部材１３の底部に固定されている簡単な構造のコンタクトレンズ装着具を用いることもできる。この場合にはスリーブ部材１４、拡径部１５、つまみ１６、バネ部材１７等を省略することができるため、製造コストを低減することができる。
【０１０９】
［実施形態２］
図９を参照して、実施形態２のコンタクトレンズ装着具を詳細に説明する。実施形態１と同一の部材には同一の番号を付し、その説明は省略する。実施形態２は、実施形態１のコンタクトレンズ装着具１０を、携帯用のケースに収納したものである。
コンタクトレンズ装着具１０を携帯する際には、本体部材１３の開口２２から異物が入ることを防いで、載置部１１を清潔な状態に保つ必要がある。また、つまみ１６やリップ部２０は本体部材１３から突出しているため、携帯時にはこれらの突出した部材が他のものに当たって邪魔になる恐れがある。そこで、図９のように、コンタクトレンズ装着具１０を携帯する際には、コンタクトレンズ装着具１０を収納ケース４０に収納する。収納ケース４０は、有底筒状の下部ケース４１と、下部ケース４１の開口側を塞ぐ有底筒状のキャップ４２とからなる。図示されていないが、下部ケース４１の内側には、本体部材１３の形状に合うような内方突出壁を設けてもよい。これにより、本体部材１３の外周形状と、下部ケース４１の内周形状とが合致して、携帯時にがたつきを解消することができる。
【０１１０】
コンタクトレンズ装着具１０は本体部材１３のつまみ１６側から下部ケース４１に収納され、この状態では本体部材１３のリップ部２０側がわずかに下部ケース４１の開口から突出している。この状態で下部ケースの開口側から、下部ケース４１よりも僅かに大径のキャップ４２を被せる。この時、リップ部２０は柔軟な材料でできているため、キャップ４２内で中心側に押し縮められて、リップ部２０の外形はキャップ４２の内径と一致するようになる。下部ケース４１とキャップ４２とは密着した状態となり、かつ、両者は図示しない固定手段で着脱可能に固定される。固定手段としては、ねじ留め、スナップ、凹凸嵌合手段等が挙げられる。ねじ留めの具体例としては、下部ケース４１の開口側の外周に雄ねじを設けると共に、キャップ４２の開口側の内側に雌ねじを設けておくものが挙げられる。
【０１１１】
キャップ４２の底部内側の中心部からは、載置部１１側に向かって押さえ部材４３が突出している。下部ケースに４１にキャップ４２が被せられた状態で、押さえ部材４３は載置部１１に載置されたコンタクトレンズに当接する長さを有している。押さえ部材４３は柔軟な材料、例えば樹脂材料で構成されており、載置部１１に載置されたコンタクトレンズを弾性的に保持することができる。また、押さえ部材４３の少なくとも先端側は、扁平な形状をしており、その先端はコンタクトレンズを掬い取りやすい形状、例えばスプーンのような形状をしている。
【０１１２】
以下、この収納ケースの使用例を具体的に説明する。
（実施例２−１）
この実施例では、予め載置部１１にコンタクトレンズを載置しておく場合の使い方を説明する。
（１）載置部１１に左目用のコンタクトレンズを載置した状態で、コンタクトレンズ装着具１０を収納ケース４０に収納し、押さえ部材４３によってコンタクトレンズを載置部１１に保持しておく。予め載置部１１にコンタクトレンズが載置された状態であるので、コンタクトレンズ装着具１０を取り出したときに、すぐにコンタクトレンズを装着することができる。コンタクトレンズが乾燥することがない短時間の携帯であれば、載置部１１にコンタクトレンズを載置したままで問題ない。
【０１１３】
（２）左目用のコンタクトレンズを装着した後に、右目用のコンタクトレンズを収納容器から取り出す。この時、キャップ４２の押さえ部材４３を用いてコンタクトレンズを掬い上げることができるので、直接手に触れずに、コンタクトレンズを載置部１１に載置することが可能である。押さえ部材４３の先端はスプーンのような扁平な形状をしているため、コンタクトレンズを掬い上げ易い。
【０１１４】
（３）コンタクトレンズ装着具１０を用いて右目用のコンタクトレンズを装着した後は、コンタクトレンズ装着具１０を収納ケース４０に収納しておく。コンタクトレンズ装着具１０を収納ケース４０に収納することによって、本体部材１３の内側、特に、載置部１１に異物が付着することを防ぐことができる。以上の手順によれば、外出時にコンタクトレンズを装着する際に、コンタクトレンズに直接手を触れることがないため、手が洗えないような状況であっても、衛生上の問題なくコンタクトレンズを装着することができる。ここでは、左目用のコンタクトレンズを先に装着する例で説明したが、右目用のコンタクトレンズを先に挿入する場合でも、片目だけにコンタクトレンズを挿入する場合でも、上記と同様の手順により実施できる。
【０１１５】
（実施例２−２）  
この実施例では外出先においてコンタクトレンズを載置部１１に載置する場合を説明する。
（１）コンタクトレンズ装着具１０は収納ケース４０に収納した状態で携帯し、コンタクトレンズは別途コンタクトレンズ収納容器に入れて携帯する。コンタクトレンズの乾燥を防ぐために、長時間コンタクトレンズを携帯する場合には、載置部１１に載置しておくのではなく、コンタクトレンズ収納容器に入れた状態で携帯する。
【０１１６】
（２）外出先で左目にコンタクトレンズを装着する際には、まず、キャップ４２を下部ケースから取り外す。左目用のコンタクトレンズを収納容器から取り出す際には、キャップ４２の押さえ部材４３を用いて、コンタクトレンズを掬い上げて、載置部１１にコンタクトレンズを載置する。押さえ部材４３の先端はスプーンのような扁平な形状をしているので、コンタクトレンズを掬い上げ易い。そして、外出先で手が洗えないような状況でも、直接コンタクトレンズに手を触れることなく、押さえ部材を用いてコンタクトレンズを収納容器から掬い上げることができるので、衛生上の問題がない。
【０１１７】
（３）コンタクトレンズ装着具１０を用いて左目にコンタクトレンズを装着した後は、上記（実施例２−１）の（２）及び（３）と同様の手順で、右目にコンタクトレンズを装着する。
この手順により、外出先において手を洗えないような状況であっても、コンタクトレンズに直接手を触れることなく、コンタクトレンズを収納容器から掬い上げて載置部１１に載置することができるので、衛生上の問題がない。
ここでは、左目用のコンタクトレンズを先に装着する例で説明したが、右目用のコンタクトレンズを先に挿入する場合でも、片目だけにコンタクトレンズを挿入する場合でも、上記と同様の手順により実施できる。
【０１１８】
［実施形態３］
図１０を参照して、実施形態３のコンタクトレンズ装着具を説明する。実施形態１及び実施形態２と同じ部材については、同一の符号を用い、その説明は省略する。実施形態１及び実施形態２では、１つのコンタクトレンズ装着具を用いて片目ずつコンタクトレンズを装着する例を説明したが、実施形態３は、一度に両目にコンタクトレンズを装着できるものである。この実施形態では、実施形態１及び実施形態２で説明したコンタクトレンズ装着具１０を２個使用する。
図１０には、２個のコンタクトレンズ装着具をそれぞれのリムに装着するフレーム部材５０が図示されている。フレーム部材５０はメガネフレームと同様の構成となっており、それぞれコンタクトレンズ装着具１０，１０を挿入する一対のリム５１，５１、両方のリムを接合するブリッジ５３、ブリッジ５３またはリム５１，５１のブリッジ５３側に設けられ、使用者の鼻に位置決めするための一対のノースパット５４，５４、各リムのブリッジ５３と反対側から使用者の耳に向かって伸び、使用者の耳に位置決めするための一対のテンプル５２，５２が設けられている。
【０１１９】
一対のリムはそれぞれ左目用及び右目用のコンタクトレンズ装着具１０，１０がテンプルの伸びている側から挿入されると、各コンタクトレンズ装着具１０，１０が、着脱可能に位置決め固定される形状となっている。これにより、使用者の左目及び右目の眼球の周りにはそれぞれコンタクトレンズ装着具１０，１０のリップ部２０，２０が位置決めされ、使用者の鼻にはノースパット５４，５４が位置決めされ、使用者の両耳には一対のテンプル５２，５２が位置決めされるため、一対のコンタクトレンズ装着具１０，１０の載置部１１，１１に載置された各コンタクトレンズは、使用者の両眼の眼球の角膜に対して正確に位置決めされる。この時、使用者はメガネをかける時と同じ感覚で、フレーム部材を顔に宛がうだけで、両目に対して両目用のコンタクトレンズの位置決めを行うことができる。リム５１の内側の形状は、本体部材１３のリップ部２０よりの外周の形状と合うように構成されている。本体部材１３の形状は、底部１８側からリップ部２０側に向かうについて径が大きくなるような形状であるため、フレーム部材５０のテンプル５２側から、コンタクトレンズ装着具１０の底部１８をリム５１に向けた状態で、リムに対してコンタクトレンズ装着具１０を挿入していくと、本体部材１３のリップ部２０寄りの特定の部分がリム５１に対して位置決めされて、本体部材１３の側部１９の外周はリム５１の内周との間で、常に一定の位置関係となるように着脱可能に位置決め固定される。また、左目用及び右目用のコンタクトレンズ装着具１０，１０の本体部材１３，１３の形状は、互いに左右対称となっているため、それぞれ左目用及び右目用のリム５１，５１の形状と一致する。さらに、本体部材１３のリップ部２０寄りの特定の部分に、リムに嵌合するような係合手段を設けておくこともできる。
【０１２０】
次に、フレーム部材５０を用いたコタンタクトレンズの装着の仕方について説明する。
（１）フレーム部材５０の一対のリム５１，５１に対し、テンプル５２，５２の方向から、底部１８，１８をリム５１，５１に向け、一対のコンタクトレンズ装着具１０，１０を挿入し、本体部材１３，１３のリップ部２０，２０側の側部１９，１９が、リム５１，５１に位置決め固定するまで押し込む。一対のコンタクトレンズ装着具１０，１０は左目用も右目用も同じものであるが、これらを左目用及び右目用のリム５１，５１に挿入する角度は、互いにシャフト部材１２を中心として１８０度回転させた角度の関係となっている。
【０１２１】
（２）載置部１１のコンタクトレンズ載置面２３が水平上向きとなるように、フレーム部材５０の角度を調整した状態で、各載置部１１に左目用及び右目用のコンタクトレンズを載置する。コンタクトレンズを載置するに当たって、収納ケースのキャップ４２の押さえ部材４３を用いてコンタクトレンズを掬い上げれば、コンタクトレンズに直接手を触れることがないので、衛生面の問題がない。
（３）使用者は一対のテンプル５２，５２を両手で持って、メガネを掛けるのと同じ要領で、一対のコンタクトレンズ装着具１０，１０を眼球に近づけていき、一対のテンプル５２をそれぞれ左右の耳に位置決めすると共に、一対のノースパット５４，５４をそれぞれ使用者の鼻の左右に位置決めする。これと同時に、一対のコンタクトレンズ装着具１０，１０のリップ部２０，２０は、使用者の眼球の周りの顔に位置決めされる。コンタクトレンズは載置部１１に安定して載置されているので、前記メガネを掛けるような動作により載置部１１を傾けてもコンタクトレンズが載置部から落ちることはない。
【０１２２】
（４）つまみ１６を手の指で載置部１１の方向に押して、コンタクトレンズが眼球に触れるまでつまみ１６を押し込む。コンタクトレンズが眼球に触れたところでつまみ１６から手の指を離すと、コンタクトレンズは眼球に装着され、載置部１１から離れる。一対のつまみ１６，１６は両目とも同時に操作することもできるが、左右を順に操作することもできる。また、つまみ１６及び拡径部１５のシャフト部材１２に沿った方向の位置を調整することにより、前記（実施例１−１）〜（実施例１−３）のような多様な装着態様が可能である。
【０１２３】
（５）コンタクトレンズを装着した後は、両方のリム５１，５１から各コンタクトレンズ装着具１０，１０を取り外し、各コンタクトレンズ装着具１０，１０を各収納ケース４０，４０に収納する。フレーム部材の一対のテンプル５２，５２は、一対のリム５１，５１に対してそれぞれ蝶番により折り畳み可能に取り付けられているため、フレーム部材５０を収納する際には、メガネフレームと同様に、左右のテンプル５２を折りたたむことにより、コンパクトに収納することができる。
【０１２４】
［実施形態４］
図１１を参照して、実施形態４のコンタクトレンズ装着具６０について説明する。実施形態１と同じ部材については同一の符号を用い、その説明は省略する。
コンタクトレンズ装着具６０は、載置部１１と、載置部１１のコンタクトレンズ載置面２３以外の部分に設けられた接続部としての軸部６２と、軸部６２に接続された手の指で把持する把持部としてのグリップ部６１とからなる。
【０１２５】
載置部１１は実施形態１で説明したものと同じ構造であるので、載置部１１の説明は省略する。載置部１１のコンタクトレンズ載置面２３には、複数層の突起群が形成されているため、コンタクトレンズを装着する際に載置部１１を傾けたとしても、コンタクトレンズを安定して載置しておくことが可能である。また、載置部１１を眼球に近づけていき、載置部１１に載置されたコンタクトレンズが眼球に装着されると、コンタクトレンズは載置部１１から離れる。
【０１２６】
図１１では、軸部６２の一端は、載置部１１のコンタクトレンズ載置面２３反対側の面の中央に接続されている。載置部１１は柔軟な材料で構成されているため、このように軸部６２がコンタクトレンズ載置面２３反対側の面の中央に固定されていると、載置部１１の形状を安定した状態に保つことができる。ただし、軸部６２は、載置部１１のコンタクトレンズ載置面２３以外の部位であればどこに接続さえていてもよい。例えば載置部１１の一端の形状を載置部１１のコンタクトレンズ載置面２３とは反対側の面に沿うような曲面や、リング形状等にすることにより、載置部１１の形状を安定した状態に保つことができる。載置部１１を軸部６２の一端に固定する方法としては、ねじ留め、スナップ、凹凸嵌合、接着等が挙げられるところ、載置部１１を交換できるように着脱自在に固定することが望ましい。載置部が着脱可能であれば、載置部１１を取り外して洗浄することが可能である。また、載置部１１を交換することもできるので、新品への交換、コンタクトレンズの寸法に応じた交換等も可能であり、さらに、載置部１１を、コンタクトレンズを吸い付ける機能を有するものに交換すれば、後述のように、コンタクトレンズの装着のみでなく、コンタクトレンズの取外し、あるいは、コンタクトレンズの装着と取外しの両方ができる。
【０１２７】
軸部６２は、グリップ部６１を手で持った時に載置部１１のコンタクトレンズ載置面２３を眼球に当て易いような角度に調整するために、屈曲した形状をしている。図１１では、軸部６２の中央部の一部分で屈曲し、載置部１１に接続された一端側とグリップ部６１に接続された他端側とは直線状であるが、軸部６２の屈曲の態様はこれだけに限らず、全体が滑らかな曲線状になっているものでもよく、載置部１１のコンタクトレンズ載置面２３の垂線と、グリップ部の軸心との角度が、コンタクトレンズ載置面２３を眼球に当て易いような角度に調整されていればよく、この角度を調整可能なようにフレキシブルなものでもよい。
【０１２８】
軸部６２の他端側は、グリップ部に接続されている。グリップ部は使用者が手の指で把持する部分であるので、握りやすいように軸部６２によりも大径となっている。グリップ部は、使用者が手の指で握りやすいような形状であればどのような形状でもよく、角柱状でも、丸みを持たせた形状でも、指に当たる部分に凹凸を持たせた形状でもよい。
【０１２９】
このように、実施形態４では、実施形態１で説明したシャフト部材１２、スリーブ部材１４、バネ部材１７等からなる可動機構を必要としないため、コンタクトレンズ装着具６０はより簡略な構造であり、コンタクトレンズを装着する操作がより単純になる。さらに、製造コストのさらなる低減をも図ることができる。
【０１３０】
次に、コンタクトレンズ装着具６０を用いてコンタクトレンズを装着する方法を説明する。
（１）まず、使用者は、グリップ部６１を片手で持ち、載置部１１のコンタクトレンズ載置面が上方を向いた状態で、もう片方の手で左目用のコンタクトレンズを載置部１１のコンタクトレンズ載置面に載置する。
【０１３１】
（２）使用者は鏡を見ながらグリップ部６１を片手で持って、載置部１１に載置されたコンタクトレンズを左目の眼球に近づけいく。この際、載置部１１を傾けてもコンタクトレンズは安定して載置部１１に載置されているので、コンタクトレンズが落ちることはない。載置部１１は透明または半透明な素材で構成されおり、また、グリップ部６１を手で持っており、載置部１１を眼球に近づけていくときに視界を遮ることがないため、使用者が条件反射で瞼を閉じてしまうことを防ぐことができる。そして、コンタクトレンズが眼球に触れたところで、載置部１１を眼球から遠ざける。この操作により、コンタクトレンズは眼球に装着されると共に、載置部１１から離れる。
なお、ここでは鏡を見ながら載置部１１を眼球の角膜に対して位置合わせする例を説明したが、必ずしも鏡を見る必要はない。使用者が正面を向いた姿勢で、載置部１１の中心を見つめながら、グリップ部６１を操作して、載置部１１に載置されたコンタクトレンズを眼球に近づけていき、眼球にコンタクトレンズが触れたときに載置部１１を眼球から遠ざければ、コンタクトレンズは眼球に装着される。
【０１３２】
（３）次に、右目用のコンタクトレンズを装着する際にも、上記（１）及び（２）と同様の操作を繰り返す。ここでは、左目用のコンタクトレンズを先に装着する例で説明したが、右目用のコンタクトレンズを先に装着する場合も、片目だけにコンタクトレンズを装着する場合にも、同様の操作により、コンタクトレンズを装着可能である。
【０１３３】
［実施形態５］
図１２〜１７を参照して、実施形態５のコンタクトレンズ取外具の説明をする。実施形態１と同じ部材については同じ番号を用い、その説明は省略する。
実施形態１のコンタクトレンズ装着具１０との違いは、載置部１１に替えて吸盤部７１を設けた点であり、実施形態５のその他の構成については、実施形態１と同一であるので説明を省略し、ここでは、吸盤部７１の構成について詳しく説明する。
【０１３４】
図１２、１３に示されているように、吸盤部７１はシャフト部材１２の開口２２側に固定されており、吸盤部７１のコンタクトレンズ吸引面７２はコンタクトレンズを吸引して吸い付ける構造となっている。吸盤部７１をシャフト部材の先端に固定する方法としては、ねじ留め、スナップ、凹凸嵌合、接着等が挙げられるところ、吸盤部７１を交換できるように着脱自在に固定することが望ましい。この場合、吸盤部７１を取り外して洗浄することが可能である。また、吸盤部７１を交換することもできるので、新品への交換、コンタクトレンズの寸法に応じた交換等も可能であり、さらに、コンタクトレンズ装着具の載置部１１と、コンタクトレンズ取外具の吸盤部７１とを交換することも可能である。また、後述のように、吸盤部７１をコンタクトレンズ着脱用のものとすれば、コンタクトレンズの装着と取外しの両方ができる。
【０１３５】
吸盤部７１は、図１２に示すようにコンタクトレンズ吸引面７２側に凹曲面状の形状をしており、図１３に示すように横断面は円弧状の形状をしており、また、図１４に示すように開口２２側から見ると円形である。吸盤部７１のコンタクトレンズ吸引面７２の中心部はつまみ１６側に向けて凹んでおり、吸盤部７１のコンタクトレンズ吸引面７２の外周部は円周状に開口２２側に突出している。コンタクトレンズがコンタクトレンズ吸引面７２に接触すると、コンタクトレンズ吸引面７２の外周部が全周にわたってコンタクトレンズに接触し、コンタクトレンズ吸引面７２の中央側はコンタクトレンズから離れており、コンタクトレンズとコンタクトレンズ吸引面７２との間には密閉空間が構成される。吸盤部７１がこのような形状をしているため、吸盤部７１はコンタクトレンズを吸引して吸い付けることができる。
【０１３６】
吸盤部７１のコンタクトレンズ吸引面７２の曲率半径は、コンタクトレンズの曲率半径よりも小さく設定されている。また、吸盤部７１は柔軟性のある材料で形成されているので変形可能である。このため、コンタクトレンズの取外時に、吸盤部７１のコンタクトレンズ吸引面７２がコンタクトレンズに触れると、吸盤部７１は僅かに変形し、コンタクトレンズを吸い付ける。
図１３には吸盤部７１の横断面が円弧状のものを示したが、この形状は円弧に限るものではなく、吸盤の機能を有するものであればどのような形状でも構わない。例えば、この形状はすり鉢状の形状や、曲率半径が変化するような形状でもよい。
【０１３７】
コンタクトレンズの曲率半径はＢＣ（Base Curve、単位はｍｍ）で表され、直径はＤＩＡ（Diameter、単位はｍｍ）で表される。ＢＣとはコンタクトレンズの曲面の曲率半径であり、ＤＩＡはコンタクトレンズを正面から投影した直径である。ＢＣは使用者の眼球の角膜の曲率半径にあったものを選ぶが、ソフトコンタクトレンズ、特に使い捨てコンタクトレンズは柔軟であり、角膜にフィットするようにできているため、コンタクトレンズによってはＢＣが一種類のものもある。使い捨てコンタクトレンズのＢＣは８．３〜９．０程度のものが多く、特に８．６〜８．７のものが多い。吸盤部７１の曲率半径を８．３ｍｍよりも小さく設定しておけば、多くの使い捨てコンタクトレンズに対して、共通に使用することが可能である。
【０１３８】
一方、ハードコンタクトレンズの場合には、ＢＣの違いが使用者のフィット感に大きく影響する。そのため、ハードコンタクトレンズではＢＣの種類がきめ細かく用意されている。ハードコンタクトレンズの場合にも、吸盤部７１の曲率半径を８．３ｍｍよりも小さく設定しておけば、多くのコンタクトレンズに対して、共通に使用することが可能である。
また、曲率半径が異なる吸盤部７１を複数種類用意しておけば、コンタクトレンズのＢＣに応じて載置部１１を交換することができる。ここでは、吸盤部７１の横断面が円弧状のものである場合についての曲率半径の例を説明したが、曲率半径が変化するものの場合にはコンタクトレンズ吸引面７２の外周部の曲率半径を８．３ｍｍよりも小さく設定する。また、その他、吸盤部７１の横断面がすり鉢状等の場合には、コンタクトレンズ吸引面７２の外周部が全周にわたってコンタクトレンズに接触し、コンタクトレンズ吸引面７２の中央側はコンタクトレンズから離れており、コンタクトレンズとコンタクトレンズ吸引面７２との間には密閉空間が構成されるように、吸盤部７１の形状を設定する。
【０１３９】
吸盤部７１の直径は、コンタクトレンズの直径よりも若干小さくなっている。このため、吸盤部７１を眼球に近づけていき接触状態となった時に、吸盤部７１が直接、眼球に触れることがなく、安全であると共に、直接眼球に触れる部位が少ないことは衛生上も好ましい。逆に、吸盤部７１の直径が小さすぎると、コンタクトレンズを吸引する力が小さくなる恐れがある。
コンタクトレンズの直径であるＤＩＡの値は、使い捨てソフトコンタクトレンズでは１４ｍｍ前後、ハードコンタクトレンズでは９ｍｍ前後のものが多い。そこで、載置部１１の直径は、使い捨てソフトコンタクトレンズ用としては５ｍｍ〜１４ｍｍ程度とし、ハードコンタクトレンズ用としては５ｍｍ〜９ｍｍ程度が好ましい。
【０１４０】
吸盤部７１の材質は、柔軟な樹脂であれば特に限定されるものではないが、載置部１１はコンタクトレンズに直接触れる部位なので、抗菌性樹脂であることが望ましい。また、載置部１１を眼球に近づけていった時に条件反射で瞼を閉じてしまうことをより確実に防ぐためには、載置部１１の材質は透明または半透明の樹脂材料であることが望ましい。透明または半透明の樹脂材料としては、例えば、ポリエチレン、ポリプロピレン、ポリエチレンテレフタレート、塩化ビニール、ポリスチレン、ＡＢＳ樹脂、アクリル、ポリアミド、ポリカーボネート、四フッ化エチレン、ポリオレフィン、ポリウレタン、シリコーン樹脂、フェノール樹脂、メラミン、不飽和ポリエステル、エポキシ等の樹脂材料が挙げられる。また、これらの樹脂に抗菌性を持たせるために、これらの樹脂に抗菌剤を添加することが望ましい。抗菌剤としては、銀錯体系抗菌剤（チオサルファイト銀錯体とシリカゲルから構成される抗菌剤）、無機系抗菌剤（銀ゼオライト、チオサルファイト銀錯体等）、有機系抗菌剤（ニトリル誘導体、イミダゾール誘導体、トリアジン誘導体、フェノールエーテル誘導体、ピロール誘導体等）等が挙げられる。シリコーン樹脂の中では例えばポリアミドシリコーン樹脂が抗菌剤の添加に適している。
【０１４１】
コンタクトレンズを着脱する際に点眼薬を併用する場合には、吸盤部７１の材料として点眼薬の薬剤によって化学反応を生じないものを選択する必要がある。この場合には、例えばシリコーン樹脂を選択することが望ましい。吸盤部７１は、公知の成型法、例えば、射出成型、真空成型、真空注型、圧空成型により作成することができる。あるいは、成型して得られたものを必要に応じてカットして作成してもよい。
吸盤部７１はコンタクトレンズを吸い付ける部分であるので清潔に保つ必要がある。吸盤部７１が抗菌性樹脂からなる場合には、日頃の手入れとしては、コンタクトレンズ取外具７０を水洗いするだけでよい。
【０１４２】
実施形態５のコンタクトレンズ取外具７０を用いると、実施形態１で説明したコンタクトレンズ装着具１０の場合と同様の操作によりコンタクトレンズを取り外すことができる。
図１５〜１７を参照して、実施形態５のコンタクトレンズ取外具７０を用いてコンタクトレンズを取り外す動作を説明する。実施形態１と同様に、拡径部１５及びつまみ１６のシャフト部材長さ方向の位置を調整することにより、下記の（実施例５−１）〜（実施例５−３）の場合があるので、以下詳細に説明する。拡径部１５及びつまみ１６の位置を調整できるようにしておくことは、使用者の眼球の角膜の寸法、眼球の周りの顔の形状に応じた位置合わせができるため好ましい。また、両者が調整できると下記の（実施例５−１）〜(実施例５−３)の場合のいずれにも対応することができるため好ましい。
【０１４３】
しかしながら、両者の位置調整の手間を省くためには、両者のいずれか一方あるいは両者を固定としておいてもかまわない。この場合、予めさまざま寸法のものを用意しておき、その中から使用者に最適なものを選択することにより、両者の位置調整の手間を省き、かつ、使用者の使用態様に合わせることができる。
なお、「接触状態」の定義について、コンタクトレンズを装着する場合には、実施形態１のように、「接触状態」とは、つまみ１６を押し込んで、眼球２６にコンタクトレンズ２７が触れた状態を示すと定義したが、実施形態５のように、コンタクトレンズを取り外す場合には、「接触状態」とは、つまみ１６を押し込んで、吸盤部７１が眼球２６に装着されたコンタクトレンズ２７に触れた状態を示す。
【０１４４】
（実施例５−１）
Ｌ２＜Ｌ２'かつＬ６＜Ｌ３'の場合
（１）図１５のように初期状態において、本体部材１３を手で持って、左目の眼球の周りの顔にリップ部２０が密着する位置に、コンタクトレンズ装着具を宛がう。初期状態ではつまみ１６から手の指を離した状態となっており、バネの反発力により、つまみ１６は吸盤部７１とは反対方向に押され、拡径部１５がスリーブ部材１４に当たる位置まで、シャフト部材１２は吸盤部７１とは反対方向に押し付けられる。この時、使用者が吸盤部７１の中心方向を見ていれば、吸盤部７１は眼球に装着されているコンタクトレンズに対して少し離れた距離（Ｌ４）でコンタクトレンズに正確に位置合わせされる。
【０１４５】
（２）この状態でつまみ１６を吸盤部７１の方向に向かって手の指で押し込んでいく。これにより、吸盤部７１が眼球に向かって近づいていく。この時、シャフト部材１２はスリーブ部材１４に支持されているため滑らかに動く。また、使用者はバネ部材１７の反発力に抗してつまみを押し込むため、自然とゆっくりとつまみを操作することができる。
【０１４６】
（３）図１６のように接触状態において、眼球に装着されたコンタクトレンズに吸盤部７１が触れたことを使用者が感じたら、使用者はつまみ１６から指を離す。吸盤部７１は柔軟な素材でできているため、眼球に装着されたコンタクトレンズに吸盤部７１が触れた際にわずかに変形し、コンタクトレンズは吸盤部７１に吸い付く。使用者がつまみ１６から指を離すと、つまみ１６はバネ部材１７の反発力で載置部１１とは反対方向に押し戻され、図１７のように初期状態に復帰する。吸盤部７１がコンタクトレンズを吸い付ける力が、眼球とコンタクトレンズとの間の表面張力よりも大きいので、コンタクトレンズは吸盤部７１に吸い付けられ、コンタクトレンズを眼球から取り外すことができる。
使用者がつまみ１６を押し込みすぎるとコンタクトレンズが眼球に強く押し付けられる恐れがあるが、リミット状態ではバネ部材にストッパの機能があるので安全である。バネ部材の最短長さＬ６は決まっているおり、リミット状態においてＬ３''＝Ｌ６となったところで、シャフト部材１２はそれ以上載置部１１方向には移動しないため、バネ部材にはストッパの機能がある。
【０１４７】
（４）吸盤部７１に吸い付けられた左目用コンタクトレンズは、使い捨てコンタクトレンズの場合には廃棄し、ハードコンタクトレンズ等の繰り返し使用するタイプのコンタクトレンズの場合には、収納容器に保存する。
次に、図１５〜１７とはシャフト部材１２を中心にコンタクトレンズ取外具７０を１８０°回転させた状態で、右目の眼球の周りにコンタクトレンズ取外具７０を宛がう。後は、左目からコンタクトレンズを取り外したのと同様に、上記（１）〜（３）と同様の手順で、右目からコンタクトレンズを取り外す。なお、左目のコンタクトレンズを先に取り外した例で説明したが、右目のコンタクトレンズを先に取り外してもかまわないし、片目のコンタクトレンズを取り外すような場合も上記（１）〜（３）と同様の手順で可能である。
【０１４８】
（実施例５−２）
Ｌ２＜Ｌ２'かつＬ３'＝Ｌ６の場合
上記（実施例５−１）と同様の手順についての説明は省略する。上記（実施例５−１）とは手順（３）のリミット状態が相違している。上記手順（３）において、使用者はつまみ１６を吸盤部７１の方向に向かってリミット状態となるまで手の指で押し込んでいく。Ｌ３'＝Ｌ６となるようにつまみ１６の位置が調整されているので、リミット状態の時にちょうど接触状態となり、吸盤部７１が眼球に装着されたコンタクトレンズに触れて、コンタクトレンズは吸盤部７１に吸い付く。この状態でつまみ１６から手の指を離せば、つまみ１６はバネ部材１７の反発力で吸盤部７１とは反対方向に押し戻され、図１７の初期状態に復帰する。
つまみ１６の位置調整を適切にできれば、上記（実施例５−１）の場合よりも素早くつまみ１６を押し込むことが可能になると共に、Ｌ３'＝Ｌ６であるので、コンタクトレンズを眼球に強く押し当てる恐れがない。
【０１４９】
（実施例５−３）      
Ｌ２＝Ｌ２'の場合
図１５のように初期状態において、左目の眼球の周りの顔にリップ部２０が密着する位置に、コンタクトレンズ取外具を宛がう。この時、Ｌ２＝Ｌ２'であるので、接触状態となり、吸盤部７１は、眼球に装着されたコンタクトレンズに触れ、コンタクトレンズは吸盤部７１に吸い付く。次に、コンタクトレンズ取外具７０を顔から離せば、コンタクトレンズは吸盤部７１に吸い付いており、コンタクトレンズは眼球から取り外される。次に、右目からコンタクトレンズを取り外す際にも同様の手順で行うことができる。なお、コンタクトレンズを左目から先に取り外す例で説明したが、右目から先にコンタクトレンズを取り外してもかまわないし、片目からコンタクトレンズを取り外す際にも、同様の手順で可能である。
【０１５０】
この場合、つまみ１６の操作は不要であるので、少ない動作でコンタクトレンズを取り外すことができる。本発明の実施形態５のコンタクトレンズ取外具７０の使用に慣れた場合には、この（実施例５−３）のように拡径部１５の位置を調整しておけば、簡単に吸盤部７１を眼球の角膜に位置合わせして、コンタクトレンズを取り外すことができる。
また、（実施例５−３）を実施するためには、可動機構が不要となるため、シャフト部材１２が直接、本体部材１３の底部に固定されている簡単な構造のコンタクトレンズ取外具を用いることもできる。この場合にはスリーブ部材１４、拡径部１５、つまみ１６、バネ部材１７等を省略することができるため、製造コストを低減することができる。
【０１５１】
また、実施形態５のコンタクトレンズ取外具７０に対して、図９に示される実施形態２の収納ケースを適用してもよい。収納ケース４０にコンタクトレンズ取外具を収納すれば、吸盤部に異物が付着することを防ぐことができるので、携帯時においても衛生上の問題がない。また、取り外したコンタクトレンズを保存ケースに保存する際には、キャップ４２から突出しているスプーン状の押さえ部材４３を用いれば、手で直接コンタクトレンズに触れることがないので、外出先で手を洗えないような状況でも、衛生上の問題がない。
また、吸盤部７１にコンタクトレンズを吸い付けた状況のままで収納ケース４０にコンタクトレンズ取外具７０を収納すれば、取り外されたコンタクトレンズは、吸盤部７１と押さえ部材４３との間で保持されるため、吸盤部から脱落することなく、コンタクトレンズを携帯することができる。コンタクトレンズが乾燥しない程度の短い時間の移動であれば、コンタクトレンズを吸盤部７１に吸い付けたままの状態で携帯することもできる。なお、具体的な収納ケース４０の使い方は、実施形態２と同様であるので、詳細な説明は省略する。
【０１５２】
また、実施形態５のコンタクトレンズ取外具７０に対して、図１０に示される実施形態３のフレーム部材５０を適用してもよい。この場合、フレーム部材５０の一対のリム５１，５１に対して、それぞれ一対のコンタクトレンズ取外具７０，７０を挿入して、位置決め固定する。このため、一対の吸盤部７１，７１が同時に両目の眼球の角膜に対して位置決めされるため、一度の操作で両目のコンタクトレンズを取り外すことができる。なお、フレーム部材５０の具体的な使い方は、実施形態３と同様であるため、詳細な説明は省略する。
【０１５３】
［実施形態６］
図１８を参照して、実施形態６のコンタクトレンズ着脱具について説明する。実施形態１及び実施形態５と同じ部材には同一の符号を付し、その説明は省略する。
実施形態６のコンタクトレンズ着脱具７３は、実施形態５のコンタクトレンズ取外具７０に対して、さらにコンタクトレンズを装着する機能を持たせたものであり、通気孔７４と空気室７５が加えられている。
【０１５４】
つまみ１６の吸盤部７１とは反対側の面に空気室７５が設けられている。吸盤部７１のコンタクトレンズ吸引面７２の中心から、つまみ１６の吸盤部７１とは反対側の空気室７５内の開口７６までの間は、通気孔７４によって連通されている。すなわち、通気孔７４は、吸盤部７１、シャフト部材１２、及び、つまみ１６を貫通するように設けられている。図１８には、空気室７５は蛇腹状の樹脂部材で構成されている例が示されているが、空気室７５は必ずしも蛇腹状でなくともよく、例えば筒状の形状のものでもよい。また、つまみ１６の一部が柔軟な素材で構成された空洞となっていてもよい。つまみ１６と空気室７５とは一体であっても、別体であってもいずれでもかまわない。また、この空気室７５は弾性を有しており、外部から手の指で押し縮められることができ、また、手を離すことにより元の形状に復帰するものである。
【０１５５】
実施形態６のコンタクトレンズ着脱具を用いて、コンタクトレンズを装着する方法と、コンタクトレンズを取り外す方法について説明する。
（コンタクトレンズを装着する方法）
コンタクトレンズを装着する方法は、実施形態１のコンタクトレンズ装着方法と共通するところが多いので、実施形態１のコンタクトレンズ装着方法と異なる部分である下記（１）及び（２）の方法について説明する。
【０１５６】
（１）コンタクトレンズを吸盤部７１に載置する方法
実施形態１では、複数層の突起部が形成された載置部１１のコンタクトレンズ載置面２３にコンタクトレンズを載置することにより、コンタクトレンズを載置部１１に安定して載置していたが、これに替えて、実施形態６では吸盤部７１のコンタクトレンズ吸引面７２にコンタクトレンズを吸い付かせることにより、コンタクトレンズを吸盤部７１に安定して載置している。
吸盤部７１は柔軟な素材でできているため、コンタクトレンズを吸盤部７１のコンタクトレンズ載置面２３に載置した際にわずかに変形し、コンタクトレンズは吸盤部７１に吸い付く。
さらに、空気室７５を手の指で若干押し縮めた状態で、コンタクトレンズを吸盤部７１に載置してから、空気室７５から手の指を離すと、コンタクトレンズと吸盤部７１との間にできた空間、空気室７５及び通気孔７４内が負圧となるため、コンタクトレンズはより強力に吸盤部７１に吸い付けられる。
【０１５７】
（２）コンタクトレンズを吸盤部７１から離す方法  
実施形態１では、接触状態のときには、コンタクトレンズが眼球の表面との間の表面張力の方が、載置部１１のコンタクトレンズ載置面２３に設けられた突起群がコンタクトレンズを保持する力よりも大きいので、コンタクトレンズは眼球に装着されると共に、載置部１１から離れる。これに対して、実施形態６では、吸盤部７１がコンタクトレンズを吸引する力が強いので、接触状態の時に何も操作しないと、コンタクトレンズは吸盤部７１に引き付けられたままとなってしまう。そこで、実施形態６では、接触状態となったときに、手の指で空気室７５を押し縮めてから、吸盤部７１を眼球から離す。接触状態において、手の指で空気室７５を押し縮め、コンタクトレンズと吸盤部７１との間にできた空間を加圧することによって、吸盤部７１からコンタクトレンズから離れると共に、コンタクトレンズを眼球に装着することができる。
また、実施形態６では拡径部１５及びつまみ１６のシャフト部材１２長さ方向の位置を調整することにより、実施形態１で説明した（実施例１−１）〜（実施例１−３）と同様の操作ができる。
【０１５８】
（コンタクトレンズを取り外す方法）
コンタクトレンズを取り外す方法は、実施形態５のコンタクトレンズ取外方法と共通するところが多いので、実施形態５のコンタクトレンズ取外方法と異なる部分である下記（１）及び（２）について説明する。なお、吸盤部７１を用いる実施形態では、吸盤部７１によるコンタクトレンズを吸い付ける力が強いため、必ずしも下記（１）及び（２）の操作を行わなくとも、コンタクトレンズを眼球から取り外すことが可能である。  
【０１５９】
（１）吸盤部７１を眼球に近づけるときの操作
吸盤部７１を眼球に近づけていくときに、空気室を手の指で押し縮めておき、接触状態となった時に空気室を押し縮めていた指を離す。この場合、接触状態において、吸盤部７１のコンタクトレンズ吸引面７２とコンタクトレンズとの間、通気孔７４、空気室７５が負圧となるため、コンタクトレンズは吸盤部７１に強力に吸い付けられる。
【０１６０】
（２）接触状態となった時に操作
上記（１）において、接触状態となった時に空気室を押し縮めていた指を離した状態のまま、吸盤部７１を眼球から遠ざけていく。吸盤部７１がコンタクトレンズを吸い付ける力が、コンタクトレンズと眼球との間の表面張力よりも大きいので、コンタクトレンズは眼球から離れると共に、吸盤部７１に吸い付けられる。
また、実施形態６では、拡径部１５及びつまみ１６のシャフト部材１２長さ方向の位置を調整することにより、実施形態５で説明した（実施例５−１）〜(実施例５−３）と同様の操作ができる。
【０１６１】
［実施形態７］
図１９を参照して、実施形態７のコンタクトレンズ着脱具について説明する。実施形態１、実施形態５及び実施形態６と同じ部材には同一の符号を付し、その説明は省略する。
実施形態７のコンタクトレンズ着脱具７７は、実施形態５のコンタクトレンズ取外具７０に対して、さらにコンタクトレンズを装着する機能を持たせたものであり、通気孔７４が加えられている。なお、実施形態６と比較すると、実施形態７では、空気室７５が無い点で相違している。
【０１６２】
吸盤部７１のコンタクトレンズ吸引面７２の中心から、つまみ１６の吸盤部７１とは反対側に設けられた開口７６までの間が、通気孔７４によって連通されている。すなわち、通気孔７４は、吸盤部７１、シャフト部材１２、及び、つまみ１６を貫通するように設けられている。図１９には、通気孔７４のつまみ１６側の開口７６が、つまみ１６の吸盤部７１とは反対側の面に形成されている例が示されているが、当該開口７６が形成される位置は必ずしもつまみ１６の吸盤部７１とは反対側の面でなくともよく、例えばつまみ１６の側面等、手の指で当該開口７６を塞ぐことができる位置であれば、どこに配置されていてもよい。
【０１６３】
実施形態７のコンタクトレンズ着脱具７７を用いて、コンタクトレンズを装着する方法と、コンタクトレンズを取り外す方法について説明する。
（コンタクトレンズを装着する方法）
コンタクトレンズを装着する方法は、実施形態１のコンタクトレンズ装着方法と共通するところが多いので、実施形態１のコンタクトレンズ装着方法と異なる部分である下記（１）及び（２）の方法について説明する。
【０１６４】
（１）コンタクトレンズを吸盤部７１に載置する方法
実施形態１では、複数層の突起部が形成された載置部１１のコンタクトレンズ載置面２３にコンタクトレンズを載置することにより、コンタクトレンズを載置部１１に安定して載置していたが、これに替えて、実施形態７では吸盤部７１のコンタクトレンズ吸引面７２にコンタクトレンズを吸い付かせることにより、コンタクトレンズを吸盤部７１に安定して載置する。
吸盤部７１は柔軟な素材でできているため、コンタクトレンズを吸盤部７１のコンタクトレンズ載置面２３に載置した際にわずかに変形する。この状態で通気孔７４の開口７６を指で塞ぐと、コンタクトレンズは吸盤部７１に吸い付く。
【０１６５】
（２）コンタクトレンズを吸盤部７１から離す方法  
実施形態１では、接触状態のときには、コンタクトレンズが眼球の表面との間の表面張力の方が、載置部１１のコンタクトレンズ載置面２３に設けられた突起群がコンタクトレンズを保持する力よりも大きいので、コンタクトレンズは眼球に装着されると共に、載置部１１から離れる。これに対して、実施形態７では、通気孔７４の開口７６を指で塞いだ状態では、吸盤部７１がコンタクトレンズを吸引する力が強いので、接触状態の時に何も操作しないと、コンタクトレンズは吸盤部７１に引き付けられたままとなってしまう。そこで、実施形態７では、接触状態となったときに、通気孔７４の開口７６を塞いでいた指を離してから、吸盤部７１を眼球から離す。通気孔７４の開口７６を塞いでいた指を離すと、吸盤部７１のコンタクトレンズ吸引面７２とコンタクトレンズとの間の空間に外気を導入することで、当該空間の負圧を解除することによって、吸盤の吸着力を低下させることができるので、吸盤部７１からコンタクトレンズから離れると共に、コンタクトレンズを眼球に装着することができる。
また、実施形態７では拡径部１５及びつまみ１６のシャフト部材１２長さ方向の位置を調整することにより、実施形態１で説明した（実施例１−１）〜（実施例１−３）と同様の操作ができる。
【０１６６】
（コンタクトレンズを取り外す方法）
コンタクトレンズを取り外す方法は、実施形態５のコンタクトレンズ取外方法と共通するところが多いので、実施形態５のコンタクトレンズ取外方法と異なる部分である下記（１）及び（２）について説明する。
（１）吸盤部７１を眼球に近づけるときの操作
吸盤部７１を眼球に近づけていくときに、通気孔７４の開口７６を開放しておき、接触状態となった時に、通気孔７４の開口７６を指で塞ぐ。吸盤部７１は、柔軟な素材で構成されているため、接触状態となった際にわずかに変形する。この場合、接触状態において、吸盤部７１のコンタクトレンズ吸引面７２とコンタクトレンズとの間の空間、及び、通気孔７４内が負圧となるため、コンタクトレンズは吸盤部７１に強力に吸い付けられる。
【０１６７】
（２）接触状態となった時の操作
上記（１）において、接触状態となった時に、通気孔７４の開口７６を指で塞いだまま、吸盤部７１を眼球から遠ざけていく。吸盤部７１がコンタクトレンズを吸い付ける力が、コンタクトレンズと眼球との間の表面張力よりも大きいので、コンタクトレンズは眼球から離れると共に、吸盤部７１に吸い付けられる。
また、実施形態７では拡径部１５及びつまみ１６のシャフト部材１２長さ方向の位置を調整することにより、実施形態５で説明した（実施例５−１）〜（実施例５−３）と同様の操作ができる。
【０１６８】
［実施形態８］
図２０を参照して、実施形態８のコンタクトレンズ取外具８０について説明する。実施形態４及び実施形態５と同じ部材には同一の符号を付し、その説明は省略する。
コンタクトレンズ取外具８０は、吸盤部７１と、吸盤部７１のコンタクトレンズ吸引面７２以外の部分に設けられた接続部としての軸部６２と、軸部６２に接続された手の指で把持する把持部としてのグリップ部６１とからなる。実施形態８のコンタクトレンズ取外具８０は、実施形態４のコンタクトレンズ装着具６０と対比すると、載置部１１に替えて吸盤部７１を用いている点で相違している。
【０１６９】
実施形態４のコンタクトレンズ装着具６０の載置部１１では、コンタクトレンズ載置面に配置された複数層の突起群によりコンタクトレンズが安定して載置されていたが、実施形態８のコンタクトレンズ取外具８０では、吸盤部７１がコンタクトレンズ吸引面７２によりコンタクトレンズを強力に吸い付かせる。
吸盤部７１を軸部６２の一端に固定する態様、軸部６２の態様、グリップ部６１の態様は、実施形態４と同様であり、また、吸盤部７１の態様は、実施形態５で説明した吸盤部７１と同様であるため、詳細な説明は省略する。
【０１７０】
実施形態８では、実施形態５で説明したシャフト部材１２、スリーブ部材１４、バネ部材１７等からなる可動機構を必要としないため、コンタクトレンズ装着具６０はより簡略な構造であり、コンタクトレンズを取り外す操作がより単純になる。さらに、製造コストのさらなる低減をも図ることができる。
【０１７１】
コンタクトレンズ取外具８０を用いてコンタクトレンズを取り外す方法を説明する。
（１）まず、使用者は鏡を見ながらグリップ部６１を片手で持って、吸盤部７１をコンタクトレンズが装着されている左目の眼球に近づけいく。この際、吸盤部７１は透明または半透明な素材から構成されており、また、グリップ部６１を手で持っており、吸盤部７１を眼球に近づけていくときに視界を遮ることがないため、使用者が条件反射で瞼を閉じてしまうことを防ぐことができる。
（２）吸盤部７１が左目のコンタクトレンズに接触したのを感じたら、使用者は吸盤部７１を眼球から離していく方向にグリップ部６１を操作する。吸盤部７１がコンタクトレンズに触れると、柔軟な素材でできた吸盤部７１はわずかに変形し、コンタクトレンズを強力に吸引する。この時、吸盤部７１がコンタクトレンズを吸引する力は、コンタクトレンズと眼球との間の表面張力よりも大きいので、コンタクトレンズは吸盤部７１に吸い付いて、眼球から離れる。
なお、ここでは鏡を見ながら吸盤部７１を眼球の角膜に対して位置合わせする例を説明したが、必ずしも鏡を見る必要はない。使用者が正面を向いた姿勢で、吸盤部７１の中心を見つめながら、グリップ部６１を操作して、吸盤部７１をコンタクトレンズが装着された眼球に近づけていき、眼球にコンタクトレンズに接触したのを感じた時に、吸盤部７１を眼球から遠ざければ、コンタクトレンズは吸盤部７１に吸い付き、眼球から取り外される。
【０１７２】
（３）次に、右目のコンタクトレンズを取り外す際も、上記（１）及び（２）と同様の操作を繰り返す。ここでは、左目のコンタクトレンズを先に取り外す例で説明したが、右目のコンタクトレンズを先に取り外す場合も、片目のコンタクトレンズを取り外す場合にも、同様の操作により、コンタクトレンズを取り外すことが可能である。
【０１７３】
［実施形態９］
図２１を参照して、実施形態９のコンタクトレンズ着脱具８１について説明する。実施形態４、実施形態５及び実施形態８と同じ部材には同一の符号を付し、その説明は省略する。
コンタクトレンズ着脱具８１は、吸盤部７１と、吸盤部７１のコンタクトレンズ吸引面７２以外の部分に設けられた接続部としての軸部６２と、軸部６２に接続された手の指で把持する把持部としてのグリップ部６１とからなる。実施形態９のコンタクトレンズ着脱具８１は、実施形態８のコンタクトレンズ取外具８０に近い構成であるが、両者を対比すると、実施形態９のコンタクトレンズ着脱具８１は、通気孔８２と空気室８３を有する点で、実施形態８のコンタクトレンズ取外具８０と相違しており、この構成の相違により、実施形態９のコンタクトレンズ着脱具８１は、コンタクトレンズの取外しに加え、コンタクトレンズの装着も可能である。
吸盤部７１を軸部６２の一端に固定する態様、軸部６２の態様、グリップ部６１の態様について、実施形態４と共通する部分の説明は省略する。また、吸盤部７１の態様は、実施形態５で説明した吸盤部７１と同様であるため、共通する部分の説明は省略する。
【０１７４】
軸部６２の中心部には通気孔８２が長さ方向全長に設けられており、吸盤部７１側及びグリップ部６１側にそれぞれ開口を有している。吸盤部７１のコンタクトレンズ吸引面７２の中心には開口が設けられており、この開口は軸部６２に設けられた吸盤部７１側の開口に接続されている。グリップ部６１の少なくとも一部は樹脂等の柔軟な素材で構成されており、その内部には空気室８３が設けられている。空気室８３はグリップ部材と軸部６２との接合部まで伸びており、軸部６２のグリップ部６１側の開口と連通している。空気室８３が連通しているのは、通気孔８２のみであり、それ以外の部分は密閉されている。そして、空気室８３は、通気孔８２を介して、吸盤部７１のコンタクトレンズ吸引面７２の中心に設けられた開口に連通している。
【０１７５】
グリップ部６１の少なくとも一部は柔軟な素材で構成されているので、グリップ部６１を手の指で握ると空気室８３内の体積が減少し、空気室８３内の空気が通気孔８２を介して排出される。また、グリップ部６１の少なくとも一部は弾性を有しており、外部から手の指で押し縮められることができ、また、手を離すことにより元の形状に復帰するものである。そして、グリップ部６１を握っていた手の指の握力を緩めると、減少していた空気室８３の体積は元に戻るため、通気孔８２を介して空気が空気室８３の内部に吸入される。このため、空気室８３と通気孔８２は、スポイトのように作用する。
【０１７６】
次に、コンタクトレンズ着脱具でコンタクトレンズを装着する方法とコンタクトレンズを取り外す方法を説明する。
（コンタクトレンズを装着する方法）
（１）まず、使用者は、グリップ部６１を片手で持ち、吸盤部７１のコンタクトレンズ吸引面７２が上方を向いた状態で、グリップ部を手の指で少し握り、この状態でもう片方の手で左目用のコンタクトレンズを吸盤部７１のコンタクトレンズ吸引面７２に載置した後に、グリップ部を握っていた手の指の握力を緩める。これにより、コンタクトレンズ吸引面７２とコンタクトレンズとの間の空間、通気孔８２及び空気室８３には負圧が発生しているので、コンタクトレンズはコンタクトレンズ吸引面７２に強力に吸い付く。
なお、ここではコンタクトレンズを吸盤部７１に載置する前に、グリップ部を手の指で少し握っておく例を説明したが、吸盤部７１は柔軟な素材で構成されているから、コンタクトレンズを吸盤部７１に載置するだけでも、負圧が発生し、コンタクトレンズを吸盤部７１のコンタクトレンズ吸引面に吸い付けることができる。
【０１７７】
（２）使用者は鏡を見ながらグリップ部６１を片手で持って、吸盤部７１に吸い付けられたコンタクトレンズを左目の眼球に近づけいく。この際、グリップ部を握っている手の指の握力を緩めたままとしておけば、吸盤部７１を傾けてもコンタクトレンズは吸盤部に吸い付けられているので、コンタクトレンズが落ちることはない。そして、使用者はコンタクトレンズが眼球に接触したことを感じたら、グリップ部を持っている手の指でグリップ部６１に握力を加えた後に、吸盤部７１を眼球から遠ざける。この操作により、コンタクトレンズは吸盤部７１から離れ、眼球に装着される。
なお、ここでは鏡を見ながら吸盤部７１を眼球の角膜に対して位置合わせする例を説明したが、必ずしも鏡を見る必要はない。使用者が正面を向いた姿勢で、吸盤部７１の中心を見つめながら、グリップ部６１を操作して、吸盤部７１に吸い付けられたコンタクトレンズを眼球に近づけていき、コンタクトレンズが眼球に接触したことを感じたら、使用者はグリップ部を持っている手の指でグリップ部６１に握力を加えた後に、吸盤部７１を眼球から遠ざけることにより、コンタクトレンズは眼球に装着される。この時、吸盤部７１は透明な素材で構成されおり、また、グリップ部６１を手で持っており、吸盤部７１を眼球に近づけていくときに視界を遮ることがないため、使用者が条件反射で瞼を閉じてしまうことを防ぐことができる。
【０１７８】
（３）次に、右目用のコンタクトレンズを装着する際にも、上記（１）及び（２）と同様の操作を繰り返す。ここでは、左目用のコンタクトレンズを先に装着する例で説明したが、右目用のコンタクトレンズを先に装着する場合も、片目だけにコンタクトレンズを装着する場合にも、同様の操作により、コンタクトレンズを装着可能である。
【０１７９】
（コンタクトレンズを取り外す方法）
（１）まず、使用者は鏡を見ながらグリップ部６１を片手で持って、グリップ部６１を持っている手の指でグリップ部６１を軽く握った状態で、吸盤部７１をコンタクトレンズが装着されている左目の眼球に近づけいく。この際、吸盤部７１は透明な素材で構成されおり、また、グリップ部６１を手で持っており、吸盤部７１を眼球に近づけていくときに視界を遮ることがないため、使用者が条件反射で瞼を閉じてしまうことを防ぐことができる。
【０１８０】
（２）吸盤部７１が左目のコンタクトレンズに接触したのを感じたら、使用者はグリップ部６１握っている手の握力を弱めた後に、吸盤部７１を眼球から離していく方向にグリップ部６１を操作する。吸盤部７１がコンタクトレンズに触れた際に、使用者はグリップ部６１握っている手の握力を弱めると、コンタクトレンズ吸引面７２とコンタクトレンズとの間の空間に強力な負圧が発生するため、コンタクトレンズは吸盤部７１に吸い付いて、眼球から離れる。
なお、ここでは鏡を見ながら吸盤部７１を眼球の角膜に対して位置合わせする例を説明したが、必ずしも鏡を見る必要はない。使用者が正面を向いた姿勢で、吸盤部７１の中心を見つめながら、グリップ部６１を持っている手の指でグリップ部６１を軽く握った状態で、吸盤部７１をコンタクトレンズが装着された眼球に近づけていき、眼球にコンタクトレンズに接触したのを感じた時に、使用者はグリップ部６１を握っている手の握力を弱めた後に、吸盤部７１を眼球から遠ざければ、コンタクトレンズは吸盤部７１に吸い付き、眼球から取り外される。
【０１８１】
また、上記（１）、（２）では、吸盤部７１を眼球に近づけいく際に手の指でグリップ部６１を軽く握る操作を行うと共に、吸盤部７１がコンタクトレンズに接触した際にグリップ部６１を握っている手の握力を弱める操作を行っているが、このような操作をしなくても、吸盤部７１は柔軟な素材でできているため、吸盤部７１のコンタクトレンズ吸引面７２にコンタクトレンズが触れた際に、吸盤部７１のコンタクトレンズ吸引面７２とコンタクトレンズとの間の空間に負圧が発生し、コンタクトレンズは吸盤部７１に吸い付けられる。
【０１８２】
（３）次に、右目のコンタクトレンズを取り外す際も、上記（１）及び（２）と同様の操作を繰り返す。ここでは、左目のコンタクトレンズを先に取り外す例で説明したが、右目のコンタクトレンズを先に取り外す場合も、片目のコンタクトレンズを取り外す場合にも、同様の操作により、コンタクトレンズを取り外すことが可能である。
【０１８３】
実施形態９では、グリップ部６１を握っている手の握力を強めたり、弱めたりするという簡単な操作だけで、コンタクトレンズをコンタクトレンズ吸引面７２に対して吸い付けたり、離したりすることができる。また、実施形態９のコンタクトレンズ着脱具８１の構造は簡略なものであり、その製造コストを低減することができる。
【０１８４】
［実施形態１０］
図２２を参照して、実施形態１０のコンタクトレンズ着脱具８５について説明する。実施形態４、実施形態５、実施形態８及び実施形態９と同じ部材には同一の符号を付し、その説明は省略する。
コンタクトレンズ着脱具８５は、吸盤部７１と、吸盤部７１のコンタクトレンズ吸引面７２以外の部分に設けられた接続部としての軸部６２と、軸部６２に接続された手の指で把持する把持部としてのグリップ部６１とからなる。実施形態１０のコンタクトレンズ着脱具８５は、実施形態９のコンタクトレンズ取外具８０に近い構成であるが、両者を対比すると、実施形態１０のコンタクトレンズ着脱具８５は、空気室８３を有しない点、及び、通気孔８２に連通する押さえ孔８６を有する点で、実施形態９のコンタクトレンズ着脱具８１と相違している。
吸盤部７１を軸部６２の一端に固定する態様、軸部６２の態様、グリップ部６１の態様について、実施形態４と共通する部分の説明は省略する。また、吸盤部７１の態様は、実施形態５で説明した吸盤部７１と同様であるため、共通する部分の説明は省略する。
【０１８５】
軸部６２の中心部には通気孔８２が長さ方向全長に設けられており、吸盤部７１側及びグリップ部６１側にそれぞれ開口を有している。吸盤部７１のコンタクトレンズ吸引面７２の中心には開口が設けられており、この開口は通気孔８２の吸盤部７１側の開口に接続されている。グリップ部６１には押さえ孔８６が設けられており、この押さえ孔８６は、グリップ側通気孔８７に連通しており、グリップ側通気孔８７はさらに、通気孔８２のグリップ部６１側の開口に連通している。そして、押さえ孔８６は、グリップ側通気孔８７及び通気孔８２を介して、吸盤部７１のコンタクトレンズ吸引面７２の中心に設けられた開口に連通している。
【０１８６】
図２２では、押さえ孔８６は、グリップ部６１を片手で握った時に、親指の指先が当たる位置に設けられているが、押さえ孔８６の位置は、手の指で押さえられる位置に設けられていればどの位置であってもよく、どの指で押さえられてもかまわない。例えば、押さえ孔８６は、グリップ部６１の側面、グリップ部６１の軸部とは反対側の端面、あるいは、軸部との接続部に設けられていてもよい。
【０１８７】
次に、コンタクトレンズ着脱具８５を用いてコンタクトレンズを装着する方法とコンタクトレンズを取り外す方法を説明する。
（コンタクトレンズを装着する方法）
（１）まず、使用者は、グリップ部６１を片手で持ち、吸盤部７１のコンタクトレンズ吸引面７２が上方を向いた状態で、もう片方の手で左目用のコンタクトレンズを吸盤部７１のコンタクトレンズ吸引面７２に載置した後に、グリップ部を握っている手の指で押さえ孔８６を塞ぐ。これにより、コンタクトレンズ吸引面７２とコンタクトレンズとの間の空間に負圧が発生し、コンタクトレンズはコンタクトレンズ吸引面７２に吸い付く。
【０１８８】
（２）使用者は鏡を見ながらグリップ部６１を片手で持って、手の指で押さえ孔８６を塞いだままの状態で、吸盤部７１に吸い付けられたコンタクトレンズを左目の眼球に近づけいく。この際、吸盤部７１を傾けてもコンタクトレンズは吸盤部に吸い付けられているので、コンタクトレンズが落ちることはない。そして、使用者はコンタクトレンズが眼球に接触したことを感じたら、押さえ孔８６から手の指を離して押さえ孔８６を開放してから、吸盤部７１を眼球から遠ざける。この操作により、コンタクトレンズは吸盤部７１から離れ、眼球に装着される。
なお、ここでは鏡を見ながら吸盤部７１を眼球の角膜に対して位置合わせする例を説明したが、必ずしも鏡を見る必要はない。使用者が正面を向いた姿勢で、吸盤部７１の中心を見つめながら、手の指で押さえ孔８６を塞いだままの状態で吸盤部７１に吸い付けられたコンタクトレンズを眼球に近づけていき、コンタクトレンズが眼球に接触したことを感じたら、使用者は押さえ孔８６から手の指を離して押さえ孔８６を開放した後に、吸盤部７１を眼球から遠ざけることにより、コンタクトレンズは眼球に装着される。この時、吸盤部７１は透明な素材で構成されおり、また、グリップ部６１を手で持っており、吸盤部７１を眼球に近づけていくときに視界を遮ることがないため、使用者が条件反射で瞼を閉じてしまうことを防ぐことができる。
【０１８９】
（３）次に、右目用のコンタクトレンズを装着する際にも、上記（１）及び（２）と同様の操作を繰り返す。ここでは、左目用のコンタクトレンズを先に装着する例で説明したが、右目用のコンタクトレンズを先に装着する場合も、片目だけにコンタクトレンズを装着する場合にも、同様の操作により、コンタクトレンズを装着可能である。
【０１９０】
（コンタクトレンズを取り外す方法）
（１）まず、使用者は鏡を見ながらグリップ部６１を片手で持って、押さえ孔８６から手の指を離して押さえ孔８６を開放した状態で、吸盤部７１をコンタクトレンズが装着されている左目の眼球に近づけいく。この際、吸盤部７１は透明な素材で構成されおり、また、グリップ部６１を手で持っており、吸盤部７１を眼球に近づけていくときに視界を遮ることがないため、使用者が条件反射で瞼を閉じてしまうことを防ぐことができる。
【０１９１】
（２）吸盤部７１が左目のコンタクトレンズに接触したのを感じたら、使用者はグリップ部６１を握っている手の指で押さえ孔８６を塞いだ状態として、押さえ孔８６を塞いだまま、吸盤部７１を眼球から離していく方向にグリップ部６１を操作する。吸盤部７１がコンタクトレンズに触れた際に、使用者がグリップ部６１を握っている手の指で押さえ孔８６を塞いだ状態とすると、コンタクトレンズ吸引面７２とコンタクトレンズとの間の空間に負圧が発生するため、コンタクトレンズは吸盤部７１に吸い付いて、眼球から離れる。
なお、ここでは鏡を見ながら吸盤部７１を眼球の角膜に対して位置合わせする例を説明したが、必ずしも鏡を見る必要はない。使用者が正面を向いた姿勢で、吸盤部７１の中心を見つめながら、押さえ孔８６から手の指を離して押さえ孔８６を開放した状態で、吸盤部７１をコンタクトレンズが装着された眼球に近づけていき、眼球にコンタクトレンズが接触したのを感じた時に、使用者はグリップ部６１を握っている手の指で押さえ孔８６を塞いだ状態として、押さえ孔８６を塞いだまま吸盤部７１を眼球から遠ざければ、コンタクトレンズは吸盤部７１に吸い付き、眼球から取り外される。
【０１９２】
（３）次に、右目のコンタクトレンズを取り外す際も、上記（１）及び（２）と同様の操作を繰り返す。ここでは、左目のコンタクトレンズを先に取り外す例で説明したが、右目のコンタクトレンズを先に取り外す場合も、片目のコンタクトレンズを取り外す場合にも、同様の操作により、コンタクトレンズを取り外すことが可能である。
【０１９３】
実施形態１０では、押さえ孔８６を手の指で塞いだり、離したりするという簡単な操作だけで、コンタクトレンズをコンタクトレンズ吸引面７２に対して吸い付けたり、離したりすることができる。また、実施形態１０のコンタクトレンズ着脱具８５の構造は簡略なものであり、その製造コストを低減することができる。
【符号の説明】
【０１９４】
１０：コンタクトレンズ装着具  
１１：載置部
１２：シャフト部材
１３：本体部材
１４：スリーブ部材
１５：拡径部
１６：つまみ
１７：ばね部材
１８：底部
１９：側部
２０：リップ部
２１：貫通孔
２２：開口
２３：コンタクトレンズ載置面
２６：眼球
２７：コンタクトレンズ
３０：外層突起群
３１：内層突起群
３２：最外層突起群
３３：中間層突起群
３４：最内層突起群
４０：収納ケース
４１：下部ケース
４２：キャップ
４３：押さえ部材
５０：フレーム部材
５１：リム
５２：テンプル
５３：ブリッジ
５４：ノースパット
６０：コンタクトレンズ載置具
６１：グリップ部
６２：軸部
７０：コンタクトレンズ取外具
７１：吸盤部
７２：コンタクトレンズ吸引面
７３：コンタクトレンズ着脱具
７４：通気孔
７５：空気室
７６：開口
７７：コンタクトレンズ着脱具
８０：コンタクトレンズ取外具
８１：コンタクトレンズ着脱具
８２：通気孔
８３：空気室
８５：コンタクトレンズ着脱具
８６：押さえ孔
８７：グリップ側通気孔
【図１】
2018057529.tif 000003
【図２】
2018057529.tif 000004
【図３】
2018057529.tif 000005
【図４】
2018057529.tif 000006
【図５】
2018057529.tif 000007
【図６】
2018057529.tif 000008
【図７】
2018057529.tif 000009
【図８】
2018057529.tif 000010
【図９】
2018057529.tif 000011
【図１０】
2018057529.tif 000012
【図１１】
2018057529.tif 000013
【図１２】
2018057529.tif 000014
【図１３】
2018057529.tif 000015
【図１４】
2018057529.tif 000016
【図１５】
2018057529.tif 000017
【図１６】
2018057529.tif 000018
【図１７】
2018057529.tif 000019
【図１８】
2018057529.tif 000020
【図１９】
2018057529.tif 000021
【図２０】
2018057529.tif 000022
【図２１】
2018057529.tif 000023
【図２２】
2018057529.tif 000024
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
コンタクトレンズが載置されるコンタクトレンズ載置面を有する載置部と、前記載置部の前記コンタクトレンズ載置面以外の部分に設けられた接続部と、前記接続部に接続された手の指で把持される把持部と、からなるコンタクトレンズ装着具であって、
前記載置部は前記コンタクトレンズ載置面側に凹となる曲面状であり、
前記載置部の前記コンタクトレンズ載置面側には、複数の突起が設けられており、
前記複数の突起はコンタクトレンズ載置面側に凸となるように設けられており、
前記複数の突起がコンタクトレンズを支持することを特徴とするコンタクトレンズ装着具。
【請求項２】
前記載置部の直径は、コンタクトレンズの直径よりも小さいことを特徴とする請求項１に記載のコンタクトレンズ装着具。
【請求項３】
前記複数の突起は、複数の突起群からなり、
前記突起群は各突起が環状に配置されると共に、同心状に複数層設けられていることを特徴とする請求項１又は２に記載のコンタクトレンズ装着具。
【請求項４】
前記突起群は同心状に２層設けられていることを特徴とする請求項３に記載のコンタクトレンズ装着具。
【請求項５】
前記突起群の中の最外層の突起群は、前記載置部の外周に沿って設けられていることを特徴とする請求項３又は４に記載のコンタクトレンズ装着具。
【請求項６】
前記各層の突起群の各突起は等間隔に配置されていることを特徴とする請求項３〜５のいずれかに記載のコンタクトレンズ装着具。
【請求項７】
前記各層の突起群の中、隣り合う層の突起群について、内層の突起群の突起の数は外層の突起群の突起の数以下であることを特徴とする請求項３〜６のいずれかに記載のコンタクトレンズ装着具。
【請求項８】
前記各層の突起群は同心円状に設けられていることを特徴とする請求項３〜７のいずれかに記載のコンタクトレンズ装着具。
【請求項９】
前記各層の突起群を結ぶ各円周の中の隣り合う円周の間隔はいずれも等しいことを特徴とする請求項８記載のコンタクトレンズ装着具。
【請求項１０】
前記把持部は前記載置部を包み込む有底筒状の本体部材からなり、
前記接続部は前記本体部材の底部に接続されるシャフト部材を含み、
前記載置部は前記コンタクトレンズ載置面側が前記本体部材の開口側を向くように、前記シャフト部材の先端部に設けられていることを特徴とする請求項１〜９のいずれかに記載のコンタクトレンズ装着具。
【請求項１１】
前記本体部材の開口側の形状は、眼球の周りの顔の凹凸形状に沿う形状であることを特徴とする請求項１０に記載のコンタクトレンズ装着具。
【請求項１２】
前記シャフト部材は前記本体部材の底部と交差する方向に摺動自在に接続されており、
前記載置部は前記シャフト部材の摺動に応じて、前記本体部材の前記底部からの距離が可変となるように設けられていることを特徴とする請求項１０又は１１に記載のコンタクトレンズ装着具。
【請求項１３】
前記シャフト部材は前記本体部材の底部を貫通して接続されており、かつ、バネ部材により前記載置部が設けられている前記先端部とは反対の方向に付勢されていることを特徴とする請求項１０〜１２のいずれかに記載のコンタクトレンズ装着具。
【請求項１４】
前記本体部材は透明または半透明の材料からなることを特徴とする請求項１０〜１３のいずれかに記載のコンタクトレンズ装着具。
【請求項１５】
前記コンタクトレンズ装着具は、収納ケースに収納されることを特徴とする請求項１０〜１４のいずれかに記載のコンタクトレンズ装着具。
【請求項１６】
前記コンタクトレンズ装着具が前記収納ケースに収納された状態で、前記本体部材の開口側には、前記収納ケースから前記載置部まで延出された押さえ部材が前記収納ケースに設けられていることを特徴とする請求項１５に記載のコンタクトレンズ装着具。
【請求項１７】
前記押さえ部の形状は、コンタクトレンズを掬い上げることができる形状であることを特徴とする請求項１６に記載のコンタクトレンズ装着具。
【請求項１８】
前記本体部材をそれぞれ挿入可能な一対の挿入孔を有するフレーム部材をさらに備え、
前記各挿入孔にはそれぞれ前記本体部材が挿入されることを特徴とする請求項１０〜１４のいずれかに記載のコンタクトレンズ装着具。
【請求項１９】
前記フレームの両端には一対のテンプルを設け、
前記フレームの前記一対の挿入孔の間にはブリッジ及びノースパッドを設けることを特徴とする請求項１８に記載のコンタクトレンズ装着具。
【請求項２０】
前記把持部は棒状のグリップ部材であり、
前記接続部の一端には前記把持部が接続され、かつ、他端には前記載置部の前記コンタクトレンズ載置面以外の部位が接続されていることを特徴とする請求項１〜９のいずれかに記載のコンタクトレンズ装着具。
【請求項２１】
前記載置部は半透明の材料からなることを特徴とする請求項１〜２０のいずれかに記載のコンタクトレンズ装着具。
【請求項２２】
前記載置部は前記接続部に対して着脱自在に装着されていることを特徴とする請求項１〜２１のいずれかに記載のコンタクトレンズ装着具。
【請求項２３】
コンタクトレンズを載置するコンタクトレンズ搭載面を有する搭載部と、前記搭載部の前記コンタクトレンズ搭載面以外の部分に設けられた接続部と、前記接続部に接続された手の指で把持される把持部と、からなるコンタクトレンズ用器具であって、
前記コンタクトレンズ搭載面はコンタクトレンズを載置可能な曲面状であり、
前記接続部は一端に前記搭載部が係合されたシャフト部材を含み、かつ、前記シャフト部材は前記把持部に対して前記シャフト部材の延在方向に移動可能に係合されることにより、コンタクトレンズを装着すること、取外すこと、または、着脱することが可能であることを特徴とするコンタクトレンズ用器具。
【手続補正２】
【補正対象書類名】明細書
【補正対象項目名】００２４
【補正方法】変更
【補正の内容】
【００２４】
上記課題を解決するために、本発明の第１の態様のコンタクトレンズ装着具は、コンタクトレンズが載置されるコンタクトレンズ載置面を有する載置部と、前記載置部の前記コンタクトレンズ載置面以外の部分に設けられた接続部と、前記接続部に接続された手の指で把持される把持部と、からなるコンタクトレンズ装着具であって、
前記載置部は前記コンタクトレンズ載置面側に凹となる曲面状であり、
前記載置部の前記コンタクトレンズ載置面側には、複数の突起が設けられており、
前記複数の突起はコンタクトレンズ載置面側に凸となるように設けられており、
前記複数の突起がコンタクトレンズを支持することを特徴とする。
また、本発明の第２の態様のコンタクトレンズ装着具は、前記載置部の直径は、コンタクトレンズの直径よりも小さいことを特徴とする。
【手続補正３】
【補正対象書類名】明細書
【補正対象項目名】００２５
【補正方法】変更
【補正の内容】
【００２５】
また、第３の態様のコンタクトレンズ装着具は、第１又は第２の態様のコンタクトレンズ装着具において、前記複数の突起は、複数の突起群からなり、
前記突起群は各突起が環状に配置されると共に、同心状に複数層設けられていることを特徴とする。
【手続補正４】
【補正対象書類名】明細書
【補正対象項目名】００２６
【補正方法】変更
【補正の内容】
【００２６】
また、第４の態様のコンタクトレンズ装着具は、第３の態様のコンタクトレンズ装着具において、前記突起群は同心状に２層設けられていることを特徴とする。
【手続補正５】
【補正対象書類名】明細書
【補正対象項目名】００２７
【補正方法】変更
【補正の内容】
【００２７】
また、第５の態様のコンタクトレンズ装着具は、第３又は４の態様のコンタクトレンズ装着具において、前記突起群の中の最外層の突起群は、前記載置部の外周に沿って設けられていることを特徴とする。
【手続補正６】
【補正対象書類名】明細書
【補正対象項目名】００２８
【補正方法】変更
【補正の内容】
【００２８】
また、第６の態様のコンタクトレンズ装着具は、第３〜５のいずれかの態様のコンタクトレンズ装着具において、前記各層の突起群の各突起は等間隔に配置されていることを特徴とする。
【手続補正７】
【補正対象書類名】明細書
【補正対象項目名】００２９
【補正方法】変更
【補正の内容】
【００２９】
また、第７の態様のコンタクトレンズ装着具は、第３〜６のいずれかの態様のコンタクトレンズ装着具において、前記各層の突起群の中、隣り合う層の突起群について、内層の突起群の突起の数は外層の突起群の突起の数以下であることを特徴とする。
【手続補正８】
【補正対象書類名】明細書
【補正対象項目名】００３０
【補正方法】変更
【補正の内容】
【００３０】
また、第８の態様のコンタクトレンズ装着具は、第３〜７のいずれかの態様のコンタクトレンズ装着具において、前記各層の突起群は同心円状に設けられていることを特徴とする。
【手続補正９】
【補正対象書類名】明細書
【補正対象項目名】００３１
【補正方法】変更
【補正の内容】
【００３１】
また、第９の態様のコンタクトレンズ装着具は、第８の態様のコンタクトレンズ装着具において、前記各層の突起群を結ぶ各円周の中の隣り合う円周の間隔はいずれも等しいことを特徴とする。
【手続補正１０】
【補正対象書類名】明細書
【補正対象項目名】００３２
【補正方法】変更
【補正の内容】
【００３２】
また、第１０の態様のコンタクトレンズ装着具は、第１〜９のいずれかの態様のコンタクトレンズ装着具において、前記把持部は前記載置部を包み込む有底筒状の本体部材からなり、
前記接続部は前記本体部材の底部に接続されるシャフト部材を含み、
前記載置部は前記コンタクトレンズ載置面側が前記本体部材の開口側を向くように、前記シャフト部材の先端部に設けられていることを特徴とする。
【手続補正１１】
【補正対象書類名】明細書
【補正対象項目名】００３３
【補正方法】変更
【補正の内容】
【００３３】
また、第１１の態様のコンタクトレンズ装着具は、第１０の態様のコンタクトレンズ装着具において、前記本体部材の開口側の形状は、眼球の周りの顔の凹凸形状に沿う形状であることを特徴とする。
【手続補正１２】
【補正対象書類名】明細書
【補正対象項目名】００３４
【補正方法】変更
【補正の内容】
【００３４】
また、第１２の態様のコンタクトレンズ装着具は、第１０又は１１の態様のコンタクトレンズ装着具において、前記シャフト部材は前記本体部材の底部と交差する方向に摺動自在に接続されており、
前記載置部は前記シャフトの摺動に応じて、前記本体部材の前記底部からの距離が可変となるように設けられていることを特徴とする。  
【手続補正１３】
【補正対象書類名】明細書
【補正対象項目名】００３５
【補正方法】変更
【補正の内容】
【００３５】
また、第１３の態様のコンタクトレンズ装着具は、第１０〜１２のいずれかの態様のコンタクトレンズ装着具において、前記シャフト部材は前記本体部材の底部を貫通して接続されており、かつ、バネ部材により前記載置部が設けられている前記先端部とは反対の方向に付勢されていることを特徴とする。
【手続補正１４】
【補正対象書類名】明細書
【補正対象項目名】００３６
【補正方法】変更
【補正の内容】
【００３６】
また、第１４の態様のコンタクトレンズ装着具は、第１０〜１３のいずれかの態様のコンタクトレンズ装着具において、前記本体部材は透明または半透明の材料からなることを特徴とする。  
【手続補正１５】
【補正対象書類名】明細書
【補正対象項目名】００３７
【補正方法】変更
【補正の内容】
【００３７】
また、第１５の態様のコンタクトレンズ装着具は、第１０〜１４のいずれかの態様のコンタクトレンズ装着具において、前記コンタクトレンズ装着具は、収納ケースに収納されることを特徴とする。
【手続補正１６】
【補正対象書類名】明細書
【補正対象項目名】００３８
【補正方法】変更
【補正の内容】
【００３８】
また、第１６の態様のコンタクトレンズ装着具は、第１５の態様のコンタクトレンズ装着具において、前記コンタクトレンズ装着具が前記収納ケースに収納された状態で、前記本体部材の開口側には、前記収納ケースから前記載置部まで延出された押さえ部材が前記収納ケースに設けられていることを特徴とする。
【手続補正１７】
【補正対象書類名】明細書
【補正対象項目名】００３９
【補正方法】変更
【補正の内容】
【００３９】
また、第１７の態様のコンタクトレンズ装着具は、第１６の態様のコンタクトレンズ装着具において、前記押さえ部の形状は、コンタクトレンズを掬い上げることができる形状であることを特徴とする。
【手続補正１８】
【補正対象書類名】明細書
【補正対象項目名】００４０
【補正方法】変更
【補正の内容】
【００４０】
また、第１８の態様のコンタクトレンズ装着具は、第１０〜１４のいずれかの態様のコンタクトレンズ装着具において、前記本体部材をそれぞれ挿入可能な一対の挿入孔を有するフレーム部材をさらに備え、
前記各挿入孔にはそれぞれ前記本体部材が挿入されることを特徴とする。
【手続補正１９】
【補正対象書類名】明細書
【補正対象項目名】００４１
【補正方法】変更
【補正の内容】
【００４１】
また、第１９の態様のコンタクトレンズ装着具は、第１８の態様のコンタクトレンズ装着具において、前記フレームの両端には一対のテンプルを設け、
前記フレームの前記一対の挿入孔の間にはブリッジ及びノースパッドを設けることを特徴とする。
【手続補正２０】
【補正対象書類名】明細書
【補正対象項目名】００４２
【補正方法】変更
【補正の内容】
【００４２】
また、第２０の態様のコンタクトレンズ装着具は、第１〜９のいずれかの態様のコンタクトレンズ装着具において、前記把持部は棒状のグリップ部材であり、
前記接続部の一端には前記把持部が接続され、かつ、他端には前記載置部の前記コンタクトレンズ載置面以外の部位が接続されていることを特徴とする。
【手続補正２１】
【補正対象書類名】明細書
【補正対象項目名】００４３
【補正方法】変更
【補正の内容】
【００４３】
また、第２１の態様のコンタクトレンズ装着具は、第１〜２０のいずれかの態様のコンタクトレンズ装着具において、前記載置部は半透明の材料からなることを特徴とする。
【手続補正２２】
【補正対象書類名】明細書
【補正対象項目名】００４４
【補正方法】変更
【補正の内容】
【００４４】
また、第２２の態様のコンタクトレンズ装着具は、第１〜２１のいずれかの態様のコンタクトレンズ装着具において、前記載置部は前記接続部に対して着脱自在に装着されていることを特徴とする。
【手続補正２３】
【補正対象書類名】明細書
【補正対象項目名】００４５
【補正方法】変更
【補正の内容】
【００４５】
また、第２３の態様のコンタクトレンズ用器具は、コンタクトレンズを載置するコンタクトレンズ搭載面を有する搭載部と、前記搭載部の前記コンタクトレンズ搭載面以外の部分に設けられた接続部と、前記接続部に接続された手の指で把持される把持部と、からなるコンタクトレンズ用器具であって、
前記コンタクトレンズ搭載面はコンタクトレンズを載置可能な曲面状であり、
前記接続部は一端に前記搭載部が係合されたシャフト部材を含み、かつ、前記シャフト部材は前記把持部に対して前記シャフト部材の延在方向に移動可能に係合されることにより、コンタクトレンズを装着すること、取外すこと、または、着脱することが可能であることを特徴とする。
ここで、搭載部は、載置部及び吸盤部を含む。
【手続補正２４】
【補正対象書類名】明細書
【補正対象項目名】００４６
【補正方法】変更
【補正の内容】
【００４６】
本発明の第１の態様のコンタクトレンズ装着具は、コンタクトレンズが載置されるコンタクトレンズ載置面を有する載置部と、前記載置部の前記コンタクトレンズ載置面以外の部分に設けられた接続部と、前記接続部に接続された手の指で把持される把持部と、からなるコンタクトレンズ装着具であって、
前記載置部は前記コンタクトレンズ載置面側に凹となる曲面状であり、
前記載置部の前記コンタクトレンズ載置面側には、複数の突起が設けられており、
前記複数の突起はコンタクトレンズ載置面側に凸となるように設けられており、
前記複数の突起がコンタクトレンズを支持する構成を備える。この構成により、コンタクトレンズの載置部にコンタクトレンズを安定して載置できる。また、コンタクトレンズは、載置部に設けられた複数の突起の先端に支持されているため、コンタクトレンズを眼球に装着した際にはコンタクトレンズを載置部から引き離しやすい。そして、当該装置を手の指で把持する把持部は、載置部から離れた位置にあるため、手によって視界が遮られることがなく、眼球の角膜に対して正確にコンタクトレンズを位置合わせすることができる。したがって、コンタクトレンズの載置部にコンタクトレンズを安定して載置できるために、載置部を傾けてもコンタクトレンズが落ちることがない。また、コンタクトレンズを眼球に装着した際にはコンタクトレンズを載置部から引き離しやすい。さらに、眼球の角膜に対して正確にコンタクトレンズを位置合わせすることができる。そして、手で直接コンタクトレンズに触れることがないため、手に付いた細菌がコンタクトレンズに付着するという衛生上の問題もない。
本発明の第２の態様のコンタクトレンズ装着具は、第１の態様のコンタクトレンズ装着具において、前記載置部の直径は、コンタクトレンズの直径よりも小さい構成を備える。この構成により、載置部を眼球に近づけていく際に、載置部が直接眼球に触れることを防ぐとことができる。したがって、当該コンタクトレンズ装着具によって、眼球に傷をつける恐れはない。また、載置部が直接眼球に触れることがないため、衛生中の問題も解消できる。
【手続補正２５】
【補正対象書類名】明細書
【補正対象項目名】００４７
【補正方法】変更
【補正の内容】
【００４７】
また、第３の態様のコンタクトレンズ装着具は、第１又は第２の態様のコンタクトレンズ装着具において、前記複数の突起は、複数の突起群からなり、
前記突起群は各突起が環状に配置されると共に、同心状に複数層設けられている構成を備える。この構成により、コンタクトレンズの載置部にコンタクトレンズをより安定して載置できる。しかも、コンタクトレンズは、載置部に設けられた複数の突起の先端に支持されているため、コンタクトレンズを眼球に装着した際にはコンタクトレンズを載置部から引き離しやすい。
【手続補正２６】
【補正対象書類名】明細書
【補正対象項目名】００４８
【補正方法】変更
【補正の内容】
【００４８】
また、第４の態様のコンタクトレンズ装着具は、第３の態様のコンタクトレンズ装着具において、前記突起群は同心状に２層設けられている構成を備える。この構成により、この構成により、突起群の配置をシンプルなものとしながら、コンタクトレンズを各突起群の先端により支持することができる。したがって、突起部によりコンタクトレンズの載置部にコンタクトレンズを安定して載置できるために、載置部を傾けてもコンタクトレンズが落ちることがない。また、コンタクトレンズを眼球に装着した際にはコンタクトレンズを載置部から引き離しやすい。
【手続補正２７】
【補正対象書類名】明細書
【補正対象項目名】００４９
【補正方法】変更
【補正の内容】
【００４９】
また、第５の態様のコンタクトレンズ装着具は、第３又は第４の態様のコンタクトレンズ装着具において、前記突起群の中の最外層の突起群は、前記載置部の外周に沿って設けられている構成を有する。この構成により、載置部の外周においてコンタクトレンズが、載置部の突起以外の部位に張り付くことを防止することができる。したがって、コンタクトレンズを眼球に装着した際にはコンタクトレンズを載置部から引き離しやすい。また、最外層の突起により載置部の外周においてコンタクトレンズを支持できるため、コンタクトレンズの載置部にコンタクトレンズを安定して載置できる。
【手続補正２８】
【補正対象書類名】明細書
【補正対象項目名】００５０
【補正方法】変更
【補正の内容】
【００５０】
また、第６の態様のコンタクトレンズ装着具は、第３〜第５のいずれかの態様のコンタクトレンズ装着具において、前記各層の突起群の各突起は等間隔に配置されている構成を有する。突起の間隔が空いた部分があるとコンタクトレンズが載置部の突起以外の部位に張り付く恐れがある。前記構成によれば、突起部が均等に配置されるため、突起の間隔が空いた部分が生じにくいため、コンタクトレンズが載置部の突起以外の部分に張り付くことを防ぎ、コンタクトレンズを眼球に装着した際にはコンタクトレンズを載置部から引き離しやすい。また、突起の間隔が等間隔であると、突起部によりコンタクトレンズの載置部にコンタクトレンズを安定して載置できる。
【手続補正２９】
【補正対象書類名】明細書
【補正対象項目名】００５１
【補正方法】変更
【補正の内容】
【００５１】
また、第７の態様のコンタクトレンズ装着具は、第３〜第６のいずれかの態様のコンタクトレンズ装着具において、前記各層の突起群の中、隣り合う層の突起群について、内層の突起群の突起の数は外層の突起群の突起の数以下である構成を有する。この構成により、突起間の距離が均等になるように配置することができる。したがって、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【手続補正３０】
【補正対象書類名】明細書
【補正対象項目名】００５２
【補正方法】変更
【補正の内容】
【００５２】
また、第８の態様のコンタクトレンズ装着具は、第３〜第７のいずれかの態様のコンタクトレンズ装着具において、前記各層の突起群は同心円状に設けられている構成を有する。この構成により、円形の載置部に対して、各突起の間隔をより均等に配置することができる。これにより、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【手続補正３１】
【補正対象書類名】明細書
【補正対象項目名】００５３
【補正方法】変更
【補正の内容】
【００５３】
また、第９の態様のコンタクトレンズ装着具は、第８の態様のコンタクトレンズ装着具において、前記各層の突起群を結ぶ各円周の中の隣り合う円周の間隔はいずれも等しい構成を有する。この構成により、円形状の載置部に対して径方向についても均等に突起群を配置することができるため、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【手続補正３２】
【補正対象書類名】明細書
【補正対象項目名】００５４
【補正方法】変更
【補正の内容】
【００５４】
また、第１０の態様のコンタクトレンズ装着具は、第１〜第９の態様のコンタクトレンズ装着具において、前記把持部は前記載置部を包み込む有底筒状の本体部材からなり、
前記接続部は前記本体部材の底部に接続されるシャフト部材を含み、
前記載置部は前記コンタクトレンズ載置面側が前記本体部材の開口側を向くように、前記シャフト部材の先端部に設けられている構成を有する。この構成により、前記本体部材の開口を目の周りの顔に対して位置合わせすることができるようになる。それにより、眼球の角膜に対して正確にコンタクトレンズを位置合わせすることができる。また、前記載置部と眼球の角膜との間の距離を適切に設定することができる。さらに、この設定を調整することにより、本体部材の開口を目の周りの顔に宛がうだけで、眼球の角膜に対して正確にコンタクトレンズを三次元的に位置合わせすることができる。また、これにより片手で簡単に、かつ、正確にコンタクトレンズを装着することができる。  
【手続補正３３】
【補正対象書類名】明細書
【補正対象項目名】００５５
【補正方法】変更
【補正の内容】
【００５５】
また、第１１の態様のコンタクトレンズ装着具は、第１０の態様のコンタクトレンズ装着具において、前記本体部材の開口側の形状は、眼球の周りの顔の凹凸形状に沿う形状である構成を有する。この構成により、顔の凹凸に合わせて前記本体部材をより正確に位置合わせすることができるため、眼球の角膜に対してより正確にコンタクトレンズを位置合わせすることができる。
【手続補正３４】
【補正対象書類名】明細書
【補正対象項目名】００５６
【補正方法】変更
【補正の内容】
【００５６】
また、第１２の態様のコンタクトレンズ装着具は、第１０又は第１１の態様のコンタクトレンズ装着具において、前記シャフト部材は前記本体部材の底部と交差する方向に摺動自在に接続されており、
前記載置部は前記シャフトの摺動に応じて、前記本体部材の前記底部からの距離が可変となるように設けられている構成を有している。この構成により、前記載置部から眼球の角膜までの距離の調整を任意にできるようになる。この距離を予め最適に設定しておけば、前記本体部材を眼球の周りの顔に宛がうだけで、眼球の角膜に対して正確にコンタクトレンズを三次元的に位置合わせすることができる。
また、前記本体部材を眼球の周りの顔に宛がった状態で、前記シャフト部材を前記載置部と反対側から手の指でゆっくりと押し出し、コンタクトレンズが眼球に触れるところで、指を離せば、眼球の角膜に対して正確にコンタクトレンズを三次元的に位置合わせすることができる。
【手続補正３５】
【補正対象書類名】明細書
【補正対象項目名】００５７
【補正方法】変更
【補正の内容】
【００５７】
また、第１３の態様のコンタクトレンズ装着具は、第１０〜第１２のいずれかの態様のコンタクトレンズ装着具において、前記シャフト部材は前記本体部材の底部を貫通して接続されており、かつ、バネ部材により前記載置部が設けられている前記先端部とは反対の方向に付勢されている構成を有する。この構成によれば、前記本体部材を眼球の周りの顔に宛がった状態で、初期位置にある前記シャフト部材を前記載置部と反対側からバネ部材の付勢に抗して手の指でゆっくりと押し出し、コンタクトレンズが眼球に触れるところで指を離せば、眼球の角膜に対して正確にコンタクトレンズを三次元的に位置合わせすることができる。さらに、指を離しただけで、前記シャフト部材は初期位置に自動的に復帰するために、使用者が自分の指でシャフト部材を初期位置まで毎回戻す必要がない。
【手続補正３６】
【補正対象書類名】明細書
【補正対象項目名】００５８
【補正方法】変更
【補正の内容】
【００５８】
また、第１４の態様のコンタクトレンズ装着具は、第１０〜第１３のいずれかの態様のコンタクトレンズ装着具において、前記本体部材は透明または半透明の材料からなる構成を有する。この構成により、前記本体部材により視界が遮られることはないため、本体部材を眼球の周りの顔に容易に位置合わせすることができ、また、前記本体部材を眼球に近づけていく際に条件反射で瞼を閉じてしまうことがなくなる。載置部と眼球の角膜との間の距離を調整する際にも、周囲の視界が確保された状態となるために、条件反射で瞼を閉じてしまうことがなくなる。
【手続補正３７】
【補正対象書類名】明細書
【補正対象項目名】００５９
【補正方法】変更
【補正の内容】
【００５９】
また、第１５の態様のコンタクトレンズ装着具は、第１０〜第１４のいずれかの態様のコンタクトレンズ装着具において、前記コンタクトレンズ装着具は、収納ケースに収納される構成を有している。この構成により、当該コンタクトレンズ装着具を携帯する際に、前記本体部材の開口部を前記カバーにより塞ぐことができるので、前記載置部を含む前記本体部材の内側を常に清潔な状態に保つことができる。また、前記本体部材の開口側の突起部が前記カバーにより覆われるため、携帯に便利である。
【手続補正３８】
【補正対象書類名】明細書
【補正対象項目名】００６０
【補正方法】変更
【補正の内容】
【００６０】
また、第１６の態様のコンタクトレンズ装着具は、第１５の態様のコンタクトレンズ装着具において、前記コンタクトレンズ装着具が前記収納ケースに収納された状態で、前記本体部材の開口側には、前記収納ケースから前記載置部まで延出された押さえ部材が前記収納ケースに設けられている構成を有している。この構成により、コンタクトレンズを前記載置部に載せたままの状態で前記本体部材に前記カバーを被せることにより、前記押さえ部が載置部との間でコンタクトレンズを挟み込むことによりコンタクトレンズを固定することができる。したがって、コンタクトレンズを前記載置部に載せたままの状態で当該コンタクトレンズ装着具を携帯しても、コンタクトレンズが前記載置部からずれることを防ぐことができる。これによって、外出先で手が洗えないような場合でも直接コンタクトレンズに手を触れる必要がないので、手に付いた細菌がコンタクトレンズに付着するという衛生上の問題はない。
【手続補正３９】
【補正対象書類名】明細書
【補正対象項目名】００６１
【補正方法】変更
【補正の内容】
【００６１】
また、第１７の態様のコンタクトレンズ装着具は、第１６の態様のコンタクトレンズ装着具において、前記押さえ部の形状は、コンタクトレンズを掬い上げることができる形状である構成を有している。この構成により、外出先でコンタクトレンズを収納容器から取り出す際に、前記カバーの前記押さえ部を用いてコンタクトレンズを掬い上げることにより、コンタクトレンズに直接手を触れることなしにコンタクトレンズを前記載置部に載せることができる。したがって、外出先においても手に付いた細菌がコンタクトレンズに付着するという衛生上の問題はない。
【手続補正４０】
【補正対象書類名】明細書
【補正対象項目名】００６２
【補正方法】変更
【補正の内容】
【００６２】
また、第１８の態様のコンタクトレンズ装着具は、第１０〜第１４のいずれかの態様のコンタクトレンズ装着具において、前記本体部材をそれぞれ挿入可能な一対の挿入孔を有するフレーム部材をさらに備え、
前記各挿入孔にはそれぞれ前記本体部材が挿入される構成を有している。この構成により、前記フレーム部材の一対の挿入孔にそれぞれ一対の前記本体部材を挿入した場合には、両目に対して一度にコンタクトレンズを装着することができる。
また、前記フレーム部材を眼球の周りの顔に位置合わせすることになるため、前記本体部材を単独で眼球の周りの顔に位置合わせする場合に比べて、より容易かつ正確に前記フレーム部材を顔に位置合わせをすることができる。
【手続補正４１】
【補正対象書類名】明細書
【補正対象項目名】００６３
【補正方法】変更
【補正の内容】
【００６３】
また、第１９の態様のコンタクトレンズ装着具は、第１８の態様のコンタクトレンズ装着具において、前記フレームの両端には一対のテンプルを設け、
前記フレームの前記一対の挿入孔の間にはブリッジ及びノースパッドを設ける構成を有している。この構成により、フレーム部材はメガネのフレームと同様の構成となるため、メガネを掛けるのと同様の動作により、さらに容易かつ正確に前記フレーム部材を顔に位置合わせをすることができる。
【手続補正４２】
【補正対象書類名】明細書
【補正対象項目名】００６４
【補正方法】変更
【補正の内容】
【００６４】
また、第２０の態様のコンタクトレンズ装着具は、第１〜第９のいずれかの態様のコンタクトレンズ装着具において、前記把持部は棒状のグリップ部材であり、
前記接続部の一端には前記把持部が接続され、かつ、他端には前記載置部の前記コンタクトレンズ載置面以外の部位が接続されている構成を有している。この構成により、当該コンタクトレンズ装着具をより簡略な構造とすることができるので、コンタクトレンズを装着する操作がより単純になる。さらに、製造コストのさらなる低減をも図ることができる。
【手続補正４３】
【補正対象書類名】明細書
【補正対象項目名】００６５
【補正方法】変更
【補正の内容】
【００６５】
また、第２１の態様のコンタクトレンズ装着具は、第１〜第２０のいずれかの態様のコンタクトレンズ装着具において、前記載置部は半透明の材料からなる構成を有している。この構成により、当該コンタクトレンズ装着具によってコンタクトレンズを眼球に装着する際に、載置部によって視界が遮られることを防ぐことができるため、眼球の角膜に対してより正確にコンタクトレンズを位置合わせすることができる。また、常にコンタクトレンズの方向の視野を確保することができるため、条件反射で瞼を閉じてしまうことを、さらに確実に防ぐことができる。
【手続補正４４】
【補正対象書類名】明細書
【補正対象項目名】００６６
【補正方法】変更
【補正の内容】
【００６６】
また、第２２の態様のコンタクトレンズ装着具は、第１〜第２１のいずれかの態様のコンタクトレンズ装着具において、前記載置部は前記接続部に対して着脱自在に装着されている構成を有している。この構成により、載置部は着脱可能であり、載置部を取り外して洗浄することが可能である。また、載置部を交換することもできるので、新品への交換、コンタクトレンズの寸法に応じた交換等も可能であり、さらに、載置部を、コンタクトレンズを吸い付ける機能を有するものに交換すれば、コンタクトレンズの装着のみでなく、コンタクトレンズの取外し、あるいは、コンタクトレンズの装着と取外しの両方ができる。
【手続補正４５】
【補正対象書類名】明細書
【補正対象項目名】００６７
【補正方法】変更
【補正の内容】
【００６７】
また、第２３の態様のコンタクトレンズ用器具は、コンタクトレンズを載置するコンタクトレンズ搭載面を有する搭載部と、前記搭載部の前記コンタクトレンズ搭載面以外の部分に設けられた接続部と、前記接続部に接続された手の指で把持される把持部と、からなるコンタクトレンズ用器具であって、
前記コンタクトレンズ搭載面はコンタクトレンズを載置可能な曲面状であり、
前記接続部は一端に前記搭載部が係合されたシャフト部材を含み、かつ、前記シャフト部材は前記把持部に対して前記シャフト部材の延在方向に移動可能に係合されることにより、コンタクトレンズを装着すること、取外すこと、または、着脱することが可能である構成を有している。この構成により、眼球に装着したコンタクトレンズに対して正確に位置合わせすることができるコンタクトレンズ用器具を提供することができ、また、簡易な構造によって片手で簡単にコンタクトレンズを取り外すことができるコンタクトレンズ用器具を提供することができ、さらに、コンタクトレンズの装着または取外しの一方に加え、コンタクトレンズの装着とコンタクトレンズの取外しの両方ができるコンタクトレンズ用器具を提供することができる。この際、搭載部としては、載置部１１だけではなく、コンタクトレンズ吸着面を有する吸盤部７１を採用することができるため、コンタクトレンズの装着のみでなく、コンタクトレンズの取外し、あるいは、コンタクトレンズの装着と取外しの両方ができる。
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
コンタクトレンズが載置されるコンタクトレンズ載置面を有する載置部と、前記載置部の前記コンタクトレンズ載置面以外の部分に設けられた接続部と、前記接続部に接続された手の指で把持される把持部と、からなるコンタクトレンズ装着具であって、
前記載置部は前記コンタクトレンズ載置面側に凹となる曲面状であり、
前記載置部の前記コンタクトレンズ載置面側には、複数の突起が設けられており、
前記複数の突起はコンタクトレンズ載置面側に凸となるように設けられており、
前記複数の突起がコンタクトレンズを支持し、
前記複数の突起は、複数の突起群からなり、
前記突起群は各突起が環状に配置されると共に、前記複数の突起群は同心円状に複数層設けられていることを特徴とするコンタクトレンズ装着具。
【請求項２】
前記載置部の直径は、コンタクトレンズの直径よりも小さいことを特徴とする請求項１に記載のコンタクトレンズ装着具。
【請求項３】
前記突起群は同心円状に２層設けられていることを特徴とする請求項１又は２に記載のコンタクトレンズ装着具。
【請求項４】
前記突起群の中の最外層の突起群は、前記載置部の外周に沿って設けられていることを特徴とする請求項１〜３のいずれかに記載のコンタクトレンズ装着具。
【請求項５】
前記各層の突起群の各突起は等間隔に配置されていることを特徴とする請求項１〜４のいずれかに記載のコンタクトレンズ装着具。
【請求項６】
前記各層の突起群の中、隣り合う層の突起群について、内層の突起群の突起の数は外層の突起群の突起の数以下であることを特徴とする請求項１〜５のいずれかに記載のコンタクトレンズ装着具。
【請求項７】
前記各層の突起群を結ぶ各円周の中の隣り合う円周の間隔はいずれも等しいことを特徴とする請求項１〜６のいずれか記載のコンタクトレンズ装着具。
【請求項８】
前記把持部は前記載置部を包み込む有底筒状の本体部材からなり、
前記接続部は前記本体部材の底部に接続されるシャフト部材を含み、
前記載置部は前記コンタクトレンズ載置面側が前記本体部材の開口側を向くように、前記シャフト部材の先端部に設けられていることを特徴とする請求項１〜７のいずれかに記載のコンタクトレンズ装着具。
【請求項９】
前記本体部材の開口側の形状は、眼球の周りの顔の凹凸形状に沿う形状であることを特徴とする請求項８に記載のコンタクトレンズ装着具。
【請求項１０】
前記シャフト部材は前記本体部材の底部と交差する方向に摺動自在に接続されており、
前記載置部は前記シャフト部材の摺動に応じて、前記本体部材の前記底部からの距離が可変となるように設けられていることを特徴とする請求項８又は９に記載のコンタクトレンズ装着具。
【請求項１１】
前記シャフト部材は前記本体部材の底部を貫通して接続されており、かつ、バネ部材により前記載置部が設けられている前記先端部とは反対の方向に付勢されていることを特徴とする請求項８〜１０のいずれかに記載のコンタクトレンズ装着具。
【請求項１２】
前記本体部材は透明または半透明の材料からなることを特徴とする請求項８〜１１のいずれかに記載のコンタクトレンズ装着具。
【請求項１３】
前記コンタクトレンズ装着具は、収納ケースに収納されることを特徴とする請求項８〜１２のいずれかに記載のコンタクトレンズ装着具。
【請求項１４】
前記コンタクトレンズ装着具が前記収納ケースに収納された状態で、前記本体部材の開口側には、前記収納ケースから前記載置部まで延出された押さえ部材が前記収納ケースに設けられていることを特徴とする請求項１３に記載のコンタクトレンズ装着具。
【請求項１５】
前記押さえ部の形状は、コンタクトレンズを掬い上げることができる形状であることを特徴とする請求項１４に記載のコンタクトレンズ装着具。
【請求項１６】
前記本体部材をそれぞれ挿入可能な一対の挿入孔を有するフレーム部材をさらに備え、
前記各挿入孔にはそれぞれ前記本体部材が挿入されることを特徴とする請求項８〜１２のいずれかに記載のコンタクトレンズ装着具。
【請求項１７】
前記フレームの両端には一対のテンプルを設け、
前記フレームの前記一対の挿入孔の間にはブリッジ及びノースパッドを設けることを特徴とする請求項１６に記載のコンタクトレンズ装着具。
【請求項１８】
前記把持部は棒状のグリップ部材であり、
前記接続部の一端には前記把持部が接続され、かつ、他端には前記載置部の前記コンタクトレンズ載置面以外の部位が接続されていることを特徴とする請求項１〜７のいずれかに記載のコンタクトレンズ装着具。
【請求項１９】
前記載置部は半透明の材料からなることを特徴とする請求項１〜１８のいずれかに記載のコンタクトレンズ装着具。
【請求項２０】
前記載置部は前記接続部に対して着脱自在に装着されていることを特徴とする請求項１〜１９のいずれかに記載のコンタクトレンズ装着具。
【手続補正２】
【補正対象書類名】明細書
【補正対象項目名】００２４
【補正方法】変更
【補正の内容】
【００２４】
上記課題を解決するために、本発明の第１の態様のコンタクトレンズ装着具は、コンタクトレンズが載置されるコンタクトレンズ載置面を有する載置部と、前記載置部の前記コンタクトレンズ載置面以外の部分に設けられた接続部と、前記接続部に接続された手の指で把持される把持部と、からなるコンタクトレンズ装着具であって、前記載置部は前記コンタクトレンズ載置面側に凹となる曲面状であり、前記載置部の前記コンタクトレンズ載置面側には、複数の突起が設けられており、前記複数の突起はコンタクトレンズ載置面側に凸となるように設けられており、前記複数の突起がコンタクトレンズを支持し、前記複数の突起は、複数の突起群からなり、前記突起群は各突起が環状に配置されると共に、前記複数の突起群は同心円状に複数層設けられていることを特徴とする。
【手続補正３】
【補正対象書類名】明細書
【補正対象項目名】００２５
【補正方法】変更
【補正の内容】
【００２５】
また、第２の態様のコンタクトレンズ装着具は、第１の態様のコンタクトレンズ装着具において、前記載置部の直径は、コンタクトレンズの直径よりも小さいことを特徴とする。
【手続補正４】
【補正対象書類名】明細書
【補正対象項目名】００２６
【補正方法】変更
【補正の内容】
【００２６】
また、第３の態様のコンタクトレンズ装着具は、第１又は第２の態様のコンタクトレンズ装着具において、前記突起群は同心円状に２層設けられていることを特徴とする。
【手続補正５】
【補正対象書類名】明細書
【補正対象項目名】００２７
【補正方法】変更
【補正の内容】
【００２７】
また、第４の態様のコンタクトレンズ装着具は、第１〜第３のいずれかの態様のコンタクトレンズ装着具において、前記突起群の中の最外層の突起群は、前記載置部の外周に沿って設けられていることを特徴とする。
【手続補正６】
【補正対象書類名】明細書
【補正対象項目名】００２８
【補正方法】変更
【補正の内容】
【００２８】
また、第５の態様のコンタクトレンズ装着具は、第１〜第４のいずれかの態様のコンタクトレンズ装着具において、前記各層の突起群の各突起は等間隔に配置されていることを特徴とする。
【手続補正７】
【補正対象書類名】明細書
【補正対象項目名】００２９
【補正方法】変更
【補正の内容】
【００２９】
また、第６の態様のコンタクトレンズ装着具は、第１〜第５のいずれかの態様のコンタクトレンズ装着具において、前記各層の突起群の中、隣り合う層の突起群について、内層の突起群の突起の数は外層の突起群の突起の数以下であることを特徴とする。
【手続補正８】
【補正対象書類名】明細書
【補正対象項目名】００３０
【補正方法】変更
【補正の内容】
【００３０】
また、第７の態様のコンタクトレンズ装着具は、第１〜第６のいずれかの態様のコンタクトレンズ装着具において、前記各層の突起群を結ぶ各円周の中の隣り合う円周の間隔はいずれも等しいことを特徴とする。
【手続補正９】
【補正対象書類名】明細書
【補正対象項目名】００３１
【補正方法】変更
【補正の内容】
【００３１】
また、第８の態様のコンタクトレンズ装着具は、第１〜第７のいずれかの態様のコンタクトレンズ装着具において、前記把持部は前記載置部を包み込む有底筒状の本体部材からなり、前記接続部は前記本体部材の底部に接続されるシャフト部材を含み、前記載置部は前記コンタクトレンズ載置面側が前記本体部材の開口側を向くように、前記シャフト部材の先端部に設けられていることを特徴とする。
【手続補正１０】
【補正対象書類名】明細書
【補正対象項目名】００３２
【補正方法】変更
【補正の内容】
【００３２】
また、第９の態様のコンタクトレンズ装着具は、第８の態様のコンタクトレンズ装着具において、前記本体部材の開口側の形状は、眼球の周りの顔の凹凸形状に沿う形状であることを特徴とする。
【手続補正１１】
【補正対象書類名】明細書
【補正対象項目名】００３３
【補正方法】変更
【補正の内容】
【００３３】
また、第１０の態様のコンタクトレンズ装着具は、第８又は第９の態様のコンタクトレンズ装着具において、前記シャフト部材は前記本体部材の底部と交差する方向に摺動自在に接続されており、前記載置部は前記シャフト部材の摺動に応じて、前記本体部材の前記底部からの距離が可変となるように設けられていることを特徴とする。
【手続補正１２】
【補正対象書類名】明細書
【補正対象項目名】００３４
【補正方法】変更
【補正の内容】
【００３４】
また、第１１の態様のコンタクトレンズ装着具は、第８〜第１０のいずれかの態様のコンタクトレンズ装着具において、前記シャフト部材は前記本体部材の底部を貫通して接続されており、かつ、バネ部材により前記載置部が設けられている前記先端部とは反対の方向に付勢されていることを特徴とする。  
【手続補正１３】
【補正対象書類名】明細書
【補正対象項目名】００３５
【補正方法】変更
【補正の内容】
【００３５】
また、第１２の態様のコンタクトレンズ装着具は、第８〜第１１のいずれかの態様のコンタクトレンズ装着具において、前記本体部材は透明または半透明の材料からなることを特徴とする。
【手続補正１４】
【補正対象書類名】明細書
【補正対象項目名】００３６
【補正方法】変更
【補正の内容】
【００３６】
また、第１３の態様のコンタクトレンズ装着具は、第８〜第１２のいずれかの態様のコンタクトレンズ装着具において、前記コンタクトレンズ装着具は、収納ケースに収納されることを特徴とする。  
【手続補正１５】
【補正対象書類名】明細書
【補正対象項目名】００３７
【補正方法】変更
【補正の内容】
【００３７】
また、第１４の態様のコンタクトレンズ装着具は、第１３の態様のコンタクトレンズ装着具において、前記コンタクトレンズ装着具が前記収納ケースに収納された状態で、前記本体部材の開口側には、前記収納ケースから前記載置部まで延出された押さえ部材が前記収納ケースに設けられていることを特徴とする。
【手続補正１６】
【補正対象書類名】明細書
【補正対象項目名】００３８
【補正方法】変更
【補正の内容】
【００３８】
また、第１５の態様のコンタクトレンズ装着具は、第１４の態様のコンタクトレンズ装着具において、前記押さえ部の形状は、コンタクトレンズを掬い上げることができる形状であることを特徴とする。
【手続補正１７】
【補正対象書類名】明細書
【補正対象項目名】００３９
【補正方法】変更
【補正の内容】
【００３９】
また、第１６の態様のコンタクトレンズ装着具は、第８〜第１２のいずれかの態様のコンタクトレンズ装着具において、前記本体部材をそれぞれ挿入可能な一対の挿入孔を有するフレーム部材をさらに備え、前記各挿入孔にはそれぞれ前記本体部材が挿入されることを特徴とする。
【手続補正１８】
【補正対象書類名】明細書
【補正対象項目名】００４０
【補正方法】変更
【補正の内容】
【００４０】
また、第１７の態様のコンタクトレンズ装着具は、第１６の態様のコンタクトレンズ装着具において、前記フレームの両端には一対のテンプルを設け、前記フレームの前記一対の挿入孔の間にはブリッジ及びノースパッドを設けることを特徴とする。
【手続補正１９】
【補正対象書類名】明細書
【補正対象項目名】００４１
【補正方法】変更
【補正の内容】
【００４１】
また、第１８の態様のコンタクトレンズ装着具は、第１〜第７のいずれかの態様のコンタクトレンズ装着具において、前記把持部は棒状のグリップ部材であり、前記接続部の一端には前記把持部が接続され、かつ、他端には前記載置部の前記コンタクトレンズ載置面以外の部位が接続されていることを特徴とする。
【手続補正２０】
【補正対象書類名】明細書
【補正対象項目名】００４２
【補正方法】変更
【補正の内容】
【００４２】
また、第１９の態様のコンタクトレンズ装着具は、第１〜第１８のいずれかの態様のコンタクトレンズ装着具において、前記載置部は半透明の材料からなることを特徴とする。
【手続補正２１】
【補正対象書類名】明細書
【補正対象項目名】００４３
【補正方法】変更
【補正の内容】
【００４３】
また、第２０の態様のコンタクトレンズ装着具は、第１〜第１９のいずれかの態様のコンタクトレンズ装着具において、前記載置部は前記接続部に対して着脱自在に装着されていることを特徴とする。
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】変更
【補正の内容】
【００４６】
本発明の第１の態様のコンタクトレンズ装着具によれば、コンタクトレンズの載置部にコンタクトレンズを安定して載置できる。また、コンタクトレンズは、載置部に設けられた複数の突起群の先端に支持されているため、コンタクトレンズを眼球に装着した際にはコンタクトレンズを載置部から引き離しやすい。そして、当該装置を手の指で把持する把持部は、載置部から離れた位置にあるため、手によって視界が遮られることがなく、眼球の角膜に対して正確にコンタクトレンズを位置合わせすることができる。したがって、コンタクトレンズの載置部にコンタクトレンズを安定して載置できるために、載置部を傾けてもコンタクトレンズが落ちることがない。また、コンタクトレンズを眼球に装着した際にはコンタクトレンズを載置部から引き離しやすい。さらに、眼球の角膜に対して正確にコンタクトレンズを位置合わせすることができる。そして、手で直接コンタクトレンズに触れることがないため、手に付いた細菌がコンタクトレンズに付着するという衛生上の問題もない。加えて、前記各層の突起群は同心円状に設けられている構成を有することにより、円形の載置部に対して、各突起の間隔をより均等に配置することができる。これにより、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【手続補正２５】
【補正対象書類名】明細書
【補正対象項目名】００４７
【補正方法】変更
【補正の内容】
【００４７】
本発明の第２の態様のコンタクトレンズ装着具によれば、載置部の直径は、コンタクトレンズの直径よりも小さいため、載置部を眼球に近づけていく際に、載置部が直接眼球に触れることを防ぐとことができる。したがって、当該コンタクトレンズ装着具によって、眼球に傷をつける恐れはない。また、載置部が直接眼球に触れることがないため、衛生中の問題も解消できる。
【手続補正２６】
【補正対象書類名】明細書
【補正対象項目名】００４８
【補正方法】変更
【補正の内容】
【００４８】
また、第３の態様のコンタクトレンズ装着具によれば、突起群は同心円状に２層設けられているから、突起群の配置をシンプルなものとしながら、コンタクトレンズを各突起群の先端により支持することができる。したがって、突起部によりコンタクトレンズの載置部にコンタクトレンズを安定して載置できるために、載置部を傾けてもコンタクトレンズが落ちることがない。また、コンタクトレンズを眼球に装着した際にはコンタクトレンズを載置部から引き離しやすい。さらに、各層の突起群は同心円状に設けられているから、円形の載置部に対して、各突起の間隔をより均等に配置することができる。これにより、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【手続補正２７】
【補正対象書類名】明細書
【補正対象項目名】００４９
【補正方法】変更
【補正の内容】
【００４９】
また、第４の態様のコンタクトレンズ装着具によれば、突起群の中の最外層の突起群は、載置部の外周に沿って設けられているから、載置部の外周においてコンタクトレンズが、載置部の突起以外の部位に張り付くことを防止することができる。したがって、コンタクトレンズを眼球に装着した際にはコンタクトレンズを載置部から引き離しやすい。また、最外層の突起により載置部の外周においてコンタクトレンズを支持できるため、コンタクトレンズの載置部にコンタクトレンズを安定して載置できる。
【手続補正２８】
【補正対象書類名】明細書
【補正対象項目名】００５０
【補正方法】変更
【補正の内容】
【００５０】
また、第５の態様のコンタクトレンズ装着具によれば、各層の突起群の各突起は等間隔に配置されているから、突起の間隔が空いた部分があるとコンタクトレンズが載置部の突起以外の部位に張り付く恐れがある。前記構成によれば、突起部が均等に配置されるため、突起の間隔が空いた部分が生じにくいため、コンタクトレンズが載置部の突起以外の部分に張り付くことを防ぎ、コンタクトレンズを眼球に装着した際にはコンタクトレンズを載置部から引き離しやすい。また、突起の間隔が等間隔であると、突起部によりコンタクトレンズの載置部にコンタクトレンズを安定して載置できる。
【手続補正２９】
【補正対象書類名】明細書
【補正対象項目名】００５１
【補正方法】変更
【補正の内容】
【００５１】
また、第６の態様のコンタクトレンズ装着具によれば、各層の突起群の中、隣り合う層の突起群について、内層の突起群の突起の数は外層の突起群の突起の数以下であるから、突起間の距離が均等になるように配置することができる。したがって、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【手続補正３０】
【補正対象書類名】明細書
【補正対象項目名】００５２
【補正方法】削除
【補正の内容】
【手続補正３１】
【補正対象書類名】明細書
【補正対象項目名】００５３
【補正方法】変更
【補正の内容】
【００５３】
また、第７の態様のコンタクトレンズ装着具によれば、各層の突起群を結ぶ各円周の中の隣り合う円周の間隔はいずれも等しいから、円形状の載置部に対して径方向についても均等に突起群を配置することができるため、コンタクトレンズが載置部の突起以外の部分に張り付くことを防ぎ、コンタクトレンズを眼球に装着した際にはコンタクトレンズを載置部から引き離しやすい。また、突起が均等に配置されることにより、コンタクトレンズの載置部にコンタクトレンズを安定して載置できる。
【手続補正３２】
【補正対象書類名】明細書
【補正対象項目名】００５４
【補正方法】変更
【補正の内容】
【００５４】
また、第８の態様のコンタクトレンズ装着具によれば、眼球の角膜に対して正確にコンタクトレンズを位置合わせすることができる。また、前記載置部と眼球の角膜との間の距離を適切に設定することができる。さらに、この設定を調整することにより、本体部材の開口を目の周りの顔に宛がうだけで、眼球の角膜に対して正確にコンタクトレンズを三次元的に位置合わせすることができる。また、これにより片手で簡単に、かつ、正確にコンタクトレンズを装着することができる。  
【手続補正３３】
【補正対象書類名】明細書
【補正対象項目名】００５５
【補正方法】変更
【補正の内容】
【００５５】
また、第９の態様のコンタクトレンズ装着具によれば、本体部材の開口側の形状は、眼球の周りの顔の凹凸形状に沿う形状であるから、顔の凹凸に合わせて前記本体部材をより正確に位置合わせすることができるため、眼球の角膜に対してより正確にコンタクトレンズを位置合わせすることができる。
【手続補正３４】
【補正対象書類名】明細書
【補正対象項目名】００５６
【補正方法】変更
【補正の内容】
【００５６】
また、第１０の態様のコンタクトレンズ装着具によれば、シャフト部材は本体部材の底部と交差する方向に摺動自在に接続されており、載置部は前記シャフトの摺動に応じて、前記本体部材の前記底部からの距離が可変となるように設けられているから、載置部から眼球の角膜までの距離の調整を任意にできるようになる。この距離を予め最適に設定しておけば、本体部材を眼球の周りの顔に宛がうだけで、眼球の角膜に対して正確にコンタクトレンズを三次元的に位置合わせすることができる。また、本体部材を眼球の周りの顔に宛がった状態で、シャフト部材を載置部と反対側から手の指でゆっくりと押し出し、コンタクトレンズが眼球に触れるところで、指を離せば、眼球の角膜に対して正確にコンタクトレンズを三次元的に位置合わせすることができる。
【手続補正３５】
【補正対象書類名】明細書
【補正対象項目名】００５７
【補正方法】変更
【補正の内容】
【００５７】
また、第１１の態様のコンタクトレンズ装着具によれば、シャフト部材は本体部材の底部を貫通して接続されており、かつ、バネ部材により載置部が設けられている先端部とは反対の方向に付勢されているから、本体部材を眼球の周りの顔に宛がった状態で、初期位置にある前記シャフト部材を載置部と反対側からバネ部材の付勢に抗して手の指でゆっくりと押し出し、コンタクトレンズが眼球に触れるところで指を離せば、眼球の角膜に対して正確にコンタクトレンズを三次元的に位置合わせすることができる。さらに、指を離しただけで、前記シャフト部材は初期位置に自動的に復帰するために、使用者が自分の指でシャフト部材を初期位置まで毎回戻す必要がない。
【手続補正３６】
【補正対象書類名】明細書
【補正対象項目名】００５８
【補正方法】変更
【補正の内容】
【００５８】
また、第１２の態様のコンタクトレンズ装着具によれば、本体部材は透明または半透明の材料からなるから、本体部材により視界が遮られることはないため、本体部材を眼球の周りの顔に容易に位置合わせすることができ、また、本体部材を眼球に近づけていく際に条件反射で瞼を閉じてしまうことがなくなる。載置部と眼球の角膜との間の距離を調整する際にも、周囲の視界が確保された状態となるために、条件反射で瞼を閉じてしまうことがなくなる。
【手続補正３７】
【補正対象書類名】明細書
【補正対象項目名】００５９
【補正方法】変更
【補正の内容】
【００５９】
また、第１３の態様のコンタクトレンズ装着具によれば、コンタクトレンズ装着具は、収納ケースに収納されるから、当該コンタクトレンズ装着具を携帯する際に、本体部材の開口部を前記カバーにより塞ぐことができるので、載置部を含む本体部材の内側を常に清潔な状態に保つことができる。また、本体部材の開口側の突起部が前記カバーにより覆われるため、携帯に便利である。
【手続補正３８】
【補正対象書類名】明細書
【補正対象項目名】００６０
【補正方法】変更
【補正の内容】
【００６０】
また、第１４の態様のコンタクトレンズ装着具によれば、コンタクトレンズ装着具が収納ケースに収納された状態で、本体部材の開口側には、収納ケースから載置部まで延出された押さえ部材が収納ケースに設けられているから、コンタクトレンズを載置部に載せたままの状態で本体部材にカバーを被せることにより、押さえ部が載置部との間でコンタクトレンズを挟み込むことによりコンタクトレンズを固定することができる。したがって、コンタクトレンズを載置部に載せたままの状態で当該コンタクトレンズ装着具を携帯しても、コンタクトレンズが載置部からずれることを防ぐことができる。これによって、外出先で手が洗えないような場合でも直接コンタクトレンズに手を触れる必要がないので、手に付いた細菌がコンタクトレンズに付着するという衛生上の問題はない。
【手続補正３９】
【補正対象書類名】明細書
【補正対象項目名】００６１
【補正方法】変更
【補正の内容】
【００６１】
また、第１５の態様のコンタクトレンズ装着具によれば、押さえ部の形状は、コンタクトレンズを掬い上げることができる形状であるから、外出先でコンタクトレンズを収納容器から取り出す際に、カバーの前記押さえ部を用いてコンタクトレンズを掬い上げることにより、コンタクトレンズに直接手を触れることなしにコンタクトレンズを載置部に載せることができる。したがって、外出先においても手に付いた細菌がコンタクトレンズに付着するという衛生上の問題はない。
【手続補正４０】
【補正対象書類名】明細書
【補正対象項目名】００６２
【補正方法】変更
【補正の内容】
【００６２】
また、第１６の態様のコンタクトレンズ装着具によれば、本体部材をそれぞれ挿入可能な一対の挿入孔を有するフレーム部材をさらに備え、各挿入孔にはそれぞれ本体部材が挿入されるから、フレーム部材の一対の挿入孔にそれぞれ一対の本体部材を挿入した場合には、両目に対して一度にコンタクトレンズを装着することができる。また、フレーム部材を眼球の周りの顔に位置合わせすることになるため、本体部材を単独で眼球の周りの顔に位置合わせする場合に比べて、より容易かつ正確に前記フレーム部材を顔に位置合わせをすることができる。
【手続補正４１】
【補正対象書類名】明細書
【補正対象項目名】００６３
【補正方法】変更
【補正の内容】
【００６３】
また、第１７の態様のコンタクトレンズ装着具によれば、フレームの両端には一対のテンプルを設け、フレームの一対の挿入孔の間にはブリッジ及びノースパッドを設けるから、フレーム部材はメガネのフレームと同様の構成となるため、メガネを掛けるのと同様の動作により、さらに容易かつ正確に前記フレーム部材を顔に位置合わせをすることができる。
【手続補正４２】
【補正対象書類名】明細書
【補正対象項目名】００６４
【補正方法】変更
【補正の内容】
【００６４】
また、第１８の態様のコンタクトレンズ装着具によれば、把持部は棒状のグリップ部材であり、接続部の一端には前記把持部が接続され、かつ、他端には前記載置部の前記コンタクトレンズ載置面以外の部位が接続されているから、当該コンタクトレンズ装着具をより簡略な構造とすることができるので、コンタクトレンズを装着する操作がより単純になる。さらに、製造コストのさらなる低減をも図ることができる。
【手続補正４３】
【補正対象書類名】明細書
【補正対象項目名】００６５
【補正方法】変更
【補正の内容】
【００６５】
また、第１９の態様のコンタクトレンズ装着具によれば、載置部は半透明の材料からなる構成を有しているから、当該コンタクトレンズ装着具によってコンタクトレンズを眼球に装着する際に、載置部によって視界が遮られることを防ぐことができるため、眼球の角膜に対してより正確にコンタクトレンズを位置合わせすることができる。また、常にコンタクトレンズの方向の視野を確保することができるため、条件反射で瞼を閉じてしまうことを、さらに確実に防ぐことができる。
【手続補正４４】
【補正対象書類名】明細書
【補正対象項目名】００６６
【補正方法】変更
【補正の内容】
【００６６】
また、第２０の態様のコンタクトレンズ装着具によれば、載置部は接続部に対して着脱自在に装着されているから、載置部は着脱可能であり、載置部を取り外して洗浄することが可能である。また、載置部を交換することもできるので、新品への交換、コンタクトレンズの寸法に応じた交換等も可能であり、さらに、載置部を、コンタクトレンズを吸い付ける機能を有するものに交換すれば、コンタクトレンズの装着のみでなく、コンタクトレンズの取外し、あるいは、コンタクトレンズの装着と取外しの両方ができる。
【手続補正４５】
【補正対象書類名】明細書
【補正対象項目名】００６７
【補正方法】削除
【補正の内容】